(57)【要約】  本発明は、移動端末機において、複数のセルからのブロードキャストデータパケットを選択的に結合する装置及び方法を提供する。選択結合器は、複数のセルから受信されたブロードキャストデータパケットの一連番号が受信ウィンドー内に属していないと、受信されたブロードキャストデータパケットをバッファに記憶し、受信されたブロードキャストデータパケットの一連番号が受信ウィンドー内に属しているが、前記バッファに記憶されていないと、受信されたブロードキャストデータパケットをバッファに記憶する。選択結合器は、受信されたブロードキャストデータパケットの一連番号が受信ウィンドー内に属していないと、受信ウィンドーを更新し、受信されたブロードキャストデータパケットの一連番号が受信ウィンドー内に属しているが、バッファに記憶されていると、受信されたブロードキャストデータパケットを廃棄する。
2007520114.tif 000002
【特許請求の範囲】
【請求項１】
移動端末機において、複数のセルからのブロードキャストデータパケットを結合する方法であって、
前記複数のセルからブロードキャストデータパケットを受信するステップと、
受信された前記ブロードキャストデータパケットの一連番号が受信ウィンドー内に属していないと、前記ブロードキャストデータパケットをバッファに記憶し、前記一連番号に基づいて前記受信ウィンドーを更新するステップと、
受信された前記ブロードキャストデータパケットの一連番号が前記受信ウィンドー内に属していると、前記一連番号を有するブロードキャストデータパケットが前記バッファに既に記憶されているか否かを検査するステップと、
前記ブロードキャストデータパケットが前記バッファに記憶されていると、前記ブロードキャストデータパケットを廃棄するステップと、
前記ブロードキャストデータパケットが前記バッファに記憶されていないと、前記バッファに前記ブロードキャストデータパケットを記憶するステップと
を具備することを特徴とする方法。
【請求項２】
前記バッファに記憶されたブロードキャストデータパケットのうち、前記受信ウィンドーの更新によって前記受信ウィンドーの範囲を外れる一連番号を有するブロードキャストデータパケットを上位階層へ伝達するステップをさらに具備することを特徴とする請求項１記載の方法。
【請求項３】
前記バッファに記憶されたブロードキャストデータパケットを一連番号の順序で再構成するステップと、
受信失敗一連番号に先行する一連番号を有するブロードキャストデータパケットを上位階層へ伝達するステップをさらに具備することを特徴とする請求項１記載の方法。
【請求項４】
前記受信ウィンドーは、受信された前記ブロードキャストデータパケットの一連番号のうちのもっとも先行する一連番号、及びあらかじめ決定されたウィンドーサイズによって決定されることを特徴とする請求項１記載の方法。
【請求項５】
あらかじめ決定された前記ウィンドーサイズは、相互に異なるセルから送信された同一の一連番号を有するブロードキャストデータパケットの受信時点に対する最大誤差範囲に基いて決定されることを特徴とする請求項４記載の方法。
【請求項６】
移動端末機において、複数のセルからのブロードキャストデータパケットを結合する装置であって、
バッファと、
前記複数のセルから受信された前記ブロードキャストデータパケットの一連番号が受信ウィンドー内に属していないと、受信された前記ブロードキャストデータパケットを前記バッファに記憶し、受信された前記ブロードキャストデータパケットの一連番号が前記受信ウィンドー内に属しており、前記バッファに記憶されていないと、受信された前記ブロードキャストデータパケットを前記バッファに記憶する選択結合器とを具備し、
前記選択結合器は、受信された前記ブロードキャストデータパケットの一連番号が前記受信ウィンドー内に属していないと、前記受信ウィンドーを更新し、受信された前記ブロードキャストデータパケットの一連番号が前記受信ウィンドー内に属しており、前記バッファに記憶されていると、受信された前記ブロードキャストデータパケットを廃棄することを特徴とする装置。
【請求項７】
前記選択結合器は、前記バッファに記憶されたブロードキャストデータパケットのうち、前記受信ウィンドーの更新によって前記受信ウィンドーの範囲を外れる一連番号を有するブロードキャストデータパケットを上位階層へ伝達することを特徴とする請求項６記載の装置。
【請求項８】
前記選択結合器は、前記バッファに記憶されたブロードキャストデータパケットを一連番号の順序で再構成し、受信失敗一連番号に先行する一連番号を有するブロードキャストデータパケットを上位階層へ伝達することを特徴とする請求項６記載の装置。
【請求項９】
前記受信ウィンドーは、受信された前記ブロードキャストデータパケットの一連番号のうちのもっとも先行する一連番号、及びあらかじめ決定されたウィンドーサイズに基いて決定されることを特徴とする請求項６記載の装置。
【請求項１０】
あらかじめ決定された前記ウィンドーサイズは、相互に異なるセルから送信された同一の一連番号を有するブロードキャストデータパケットの受信時点に対する最大誤差範囲によって決定されることを特徴とする請求項９記載の装置。
【請求項１１】
移動端末機と、前記移動端末機によって設定された主リンクを介して特定のブロードキャストサービスを提供するサービングセルと、前記移動端末機によって設定された補助リンクを介して前記特定のブロードキャストサービスを提供する少なくとも１つのターゲットセルと、前記サービングセル及び前記ターゲットセルへ前記特定のブロードキャストサービスに対するブロードキャストデータパケットを提供する無線網制御器とを含む移動通信システムにおいて、前記移動端末機が、前記サービングセルと、前記少なくとも１つのターゲットセルからのブロードキャストデータパケットを結合する方法であって、
前記サービングセルと前記ターゲットセルからブロードキャストデータパケットを受信するステップと、
受信された前記ブロードキャストデータパケットが既に受信されていたか否かを検査するステップと、
受信された前記ブロードキャストデータパケットが既に受信されていた場合、受信された前記ブロードキャストデータパケットを廃棄するステップと、
受信された前記ブロードキャストデータパケットが受信されていない場合、受信された前記ブロードキャストデータパケットをバッファに記憶するステップと、
前記バッファに記憶されたブロードキャストデータパケットを一連番号の順序で再構成するステップと、
再構成された前記ブロードキャストデータパケットのうち、受信失敗一連番号に先行する一連番号を有するブロードキャストデータパケットを上位階層へ伝達するステップとを具備し、
前記一連番号は、前記ブロードキャストデータパケットを区分するための識別子であり、前記サービングセル及び前記ターゲットセルで、同一のブロードキャストデータパケットに同一の一連番号が割り当てられることを特徴とする方法。
【請求項１２】
受信された前記ブロードキャストデータパケットの一連番号と同一の一連番号を有するブロードキャストデータパケットが前記バッファに記憶されている場合、受信された前記ブロードキャストデータパケットが、既に受信された前記ブロードキャストデータパケットとして見なされることを特徴とする請求項１１記載の方法。
【請求項１３】
移動端末機と、前記移動端末機によって設定された主リンクを介して特定のブロードキャストサービスを提供するサービングセルと、前記移動端末機によって設定された補助リンクを介して前記特定のブロードキャストサービスを提供する少なくとも１つのターゲットセルと、前記サービングセル及び前記ターゲットセルへ前記特定のブロードキャストサービスに対するブロードキャストデータパケットを提供する無線網制御器とを含む移動通信システムにおいて、前記移動端末機が、前記サービングセルと前記少なくとも１つのターゲットセルからのブロードキャストデータを選択的に結合する装置であって、
前記サービングセル及び前記ターゲットセルから受信されたブロードキャストデータパケットが既に受信されていたか否かを検査し、前記検査の結果、受信された前記ブロードキャストデータパケットが既に受信されていた場合、受信された前記ブロードキャストデータパケットを廃棄し、受信された前記ブロードキャストデータパケットが受信されていない場合、受信された前記ブロードキャストデータパケットを再構成バッファに記憶する重複検査部と、
記憶された前記ブロードキャストデータパケットを一連番号で再構成し、再構成された前記ブロードキャストデータパケットのうち、受信失敗一連番号に先行する一連番号を有するブロードキャストデータパケットを上位階層へ伝達する再構成バッファとを含み、
前記一連番号は、前記ブロードキャストデータパケットを区分するための識別子であり、前記サービングセル及び前記ターゲットセルで、同一のブロードキャストデータパケットに同一の一連番号が割り当てられることを特徴とする装置。
【請求項１４】
前記重複検査部は、
受信された前記ブロードキャストデータパケットの一連番号と同一の一連番号を有するブロードキャストデータパケットが前記バッファに記憶されている場合、受信された前記ブロードキャストデータパケットが、既に受信された前記ブロードキャストデータパケットとして見なされることを特徴とする請求項１３記載の装置。
【請求項１５】
移動端末機において、複数のセルからのブロードキャストデータパケットを結合する方法であって、
前記複数のセルから最初に受信されたブロードキャストデータパケットの一連番号、及びあらかじめ決定された受信ウィンドーサイズに基づいて受信ウィンドーを割り当てるステップと、
前記複数のセルから受信された次のブロードキャストデータパケットの一連番号が前記受信ウィンドー内に属しているか否かを検査するステップと、
前記一連番号が前記受信ウィンドー内に存在すると、前記次のブロードキャストデータの一連番号と同一の一連番号を有するブロードキャストデータパケットがバッファに既に記憶されているか否かを検査するステップと、
前記次のブロードキャストデータの一連番号と同一の一連番号を有するブロードキャストデータパケットが前記バッファに既に記憶されていると、受信された前記次のブロードキャストデータパケットを廃棄するステップと、
前記次のブロードキャストデータの一連番号と同一の一連番号を有するブロードキャストデータパケットが前記バッファに記憶されていないと、受信された前記次のブロードキャストデータパケットを前記バッファに記憶するステップと、
前記一連番号が前記受信ウィンドー内に存在しないと、受信された前記次のブロードキャストデータパケットを前記バッファに記憶するステップと、
前記一連番号及び前記あらかじめ決定された受信ウィンドーサイズに基づいて前記受信ウィンドーを更新するステップと、
前記バッファに記憶されているブロードキャストデータパケットのうち、更新された前記受信ウィンドーの範囲を外れた一連番号を有するブロードキャストデータパケットを上位階層へ伝達するステップと
を具備することを特徴とする方法。
【請求項１６】
前記バッファに記憶されているブロードキャストデータパケットを一連番号の順序で再構成し、受信失敗一連番号に先行する一連番号を有するブロードキャストデータパケットを前記上位階層へ伝達するステップをさらに備えることを特徴とする請求項１５記載の方法。
【請求項１７】
あらかじめ決定された前記ウィンドーサイズは、相互に異なるセルから送信された同一の一連番号を有するブロードキャストデータパケットの受信時点に対する最大誤差範囲に基いて決定されることを特徴とする請求項１５記載の方法。
【発明の詳細な説明】
【技術分野】
【０００１】
本発明は、移動通信システムにおけるデータ結合方法に関し、特に、複数の経路を通して受信される同一のブロードキャストデータを選択的に結合する方法に関する。
【背景技術】
【０００２】
現在、通信技術の発達によって、符号分割多元接続（Code Division Multiple Access；ＣＤＭＡ）移動通信システムは、音声サービスだけではなく、パケットデータ及びサーキットデータのような大容量のデータを送信するサービスを提供する。さらに、マルチメディアサービスを送信することができるマルチメディアブロードキャスト／コミュニケーションに発展している。
【０００３】
しかしながら、通常の移動通信システムにおいて、無線送信資源が限定されているので、高速のデータを一対一に送信することは、あまり効率的でない。例えば、１つの移動端末機（User Equipment；以下、“ＵＥ”と称する）に６４Ｋｂｐｓのビデオストリーミングサービスを送信するためには、１つのＵＥへ６４Ｋｂｐｓのデータを送信するのに必要とされる無線資源を割り当てなければならない。しかしながら、ＵＥの数がｎ個に増加すると、割り当てられる無線資源の要求量もｎ倍増加する。
【０００４】
その代案としては、複数のＵＥが同一のサービスを受信することを希望する場合、同一のセル内に位置し、同一のサービスを受信することを希望するＵＥの数に関係なしに、サービスは、同一の無線資源を使用して提供されることができる。これは、無線資源を効率的に使用することを可能にする。
【０００５】
従って、マルチメディアブロードキャスト／コミュニケーションを支援するために、幾つかのマルチメディアデータソースから複数のＵＥへサービスするブロードキャストサービスが論議されている。その代表的な形態が３ＧＰＰ（3rd Generation Project Partnership；以下、“３ＧＰＰ”と称する）で提案されたマルチメディアブロードキャスト／マルチキャストサービス（Multimedia Broadcast/Multicast service；以下、“ＭＢＭＳサービス”と称する）である。
【０００６】
上記ＭＢＭＳサービスは、実時間の映像及び音声、静止画像、文字などのようなマルチメディアデータの送信を支援し、上記マルチメディア送信の適用とともに、音声データ及び映像データを同時に提供することができる。従って、上記ＭＢＭＳサービスは、大量の送信資源を必要とする。また、複数のＵＥが同一のＭＢＭＳサービスを要求する可能性があるという観点から、上記ＭＢＭＳサービスは、放送チャンネルを介して提供されることができる。
【０００７】
一般的に、上記ＭＢＭＳサービスは、２つのサービスタイプ、すなわち、一対一（Point-to-Point；以下、“ＰｔＰ”と称する）及び一対多（Point-to-Multipoint；以下、“ＰｔＭ”と称する）に大別されることができる。ＵＥ別に所望のＭＢＭＳサービスを独立して提供するＰｔＰサービスにおいては、ＵＥに専用チャンネルが割り当てられなければならない。同一のＭＢＭＳサービスを要求する複数のＵＥのグループに共通にＭＢＭＳサービスを提供するＰｔＭサービスにおいては、同一のＭＢＭＳサービスを要求する複数のＵＥに共通チャンネルが割り当てられなければならない。
【０００８】
上述したＭＢＭＳサービスは、非同期方式のユニバーサル移動体通信サービス（Universal Mobile Telecommunication Service；ＵＭＴＳ）システムにおいて、同一のデータを複数のＵＥへ効率的に送信するサービスを意味する。特に、上記ＭＢＭＳサービスは、大量の無線送信資源を要求するマルチメディアの送信に利点がある。従って、上記ＭＢＭＳサービスは、高速のマルチメディアサービスだけではなく、多様な他のサービスに対しても使用されることができるので、上記ＭＢＭＳサービスに適したアプリケーションは、将来も継続して増加するはずである。
【０００９】
このように、共通チャンネルを用いて複数のＵＥに同一のＭＢＭＳサービスを提供するとしても、無線資源上の制約は、やはり存在する。シミュレーションによると、共通チャンネルを介して６４Ｋｂｐｓデータを送信しながら、セルの８０〜９０％において、所定のブロックエラー率（Block Error Rate）を維持するためには、セルの使用可能な送信出力の３０％以上を使用すべきである。
【００１０】
このようなシミュレーション結果は、次のような問題が考慮されなければならないことを暗示する。
【００１１】
一番目に、同一のセル内に位置するすべてのＵＥが満足することができる品質のＭＢＭＳサービスを提供するためには、セルの使用可能な送信出力の大部分を１つのサービスに使用すべきである。
【００１２】
二番目に、セルの使用可能な送信出力を制限する場合、セルの境界に位置するＵＥは、品質の劣化を経験する可能性が高い。
【００１３】
このような問題点を解決するためには、特定のサービスが幾つかの隣接セルから同時に送信される場合、セルの境界に位置したＵＥが複数のセルからデータを受信する方法が提案された。しかしながら、概念に関する議論のみが進行され、このような概念を現実化するための具体的な方案が提示されなかった。
【００１４】
従って、特定のサービスが幾つかの隣接セルから同時に送信される場合、基地局とＵＥとの適切な制御信号の交換を可能にすると共に、ＵＥに新たな装置を搭載することによって、幾つかのセルから送信されたデータを受信して上記データを適切に使用する、具体的な方案が望まれる。
【発明の開示】
【発明が解決しようとする課題】
【００１５】
上記背景に鑑みて、本発明の第１の目的は、セルの境界に位置する移動端末機が、ブロードキャストサービスを円滑に受信することができるようにする選択的結合方法を提供することにある。
【００１６】
本発明の第２の目的は、下りリンク送信資源の効率的な使用を最大にする選択的結合方法を提供することにある。
【００１７】
本発明の第３の目的は、複数の経路を通して受信された同一のデータのうち、エラーのないデータのみを選択的に結合する方法を提供することにある。
【００１８】
本発明の第４の目的は、データに割り当てられた一連番号を用いて選択的結合を遂行する方法を提供することにある。
【００１９】
本発明の第５の目的は、無線リンク制御（Radio Link Control；ＲＬＣ）階層の一連番号を用いて選択的結合を遂行する方法を提供することにある。
【００２０】
本発明の第６の目的は、無線リンク制御階層の一連番号で、相互に異なる経路を通して受信されたデータを識別し、上記識別結果に基づいて選択的結合を遂行する方法を提供することにある。
【００２１】
本発明の第７の目的は、複数の一連番号割当て装置が存在するネットワークからセル別に一連番号割当て装置識別子を伝達する方法を提供することにある。
【００２２】
本発明の第８の目的は、ＵＥがネットワークから送信された一連番号割当て装置識別子に基づいて選択的結合を遂行するか否かを決定する方法を提供することにある。
【００２３】
本発明の第９の目的は、ターゲットセルからの一連番号割当て装置識別子がサービングセルからの一連番号割当て装置識別子と一致する場合、サービングセルからターゲットセルへのデータに対する選択的結合を遂行する方法を提供することにある。
【００２４】
本発明の第１０の目的は、ターゲットセルからの一連番号割当て装置識別子がサービングセルからの一連番号割当て装置識別子と一致しない場合、サービングセルからターゲットセルへのデータに対する選択的結合を遂行しない方法を提供することにある。
【課題を解決するための手段】
【００２５】
このような目的を達成するために、本発明の第１の見地によれば、移動端末機において、複数のセルからのブロードキャストデータパケットを結合する方法は、上記複数のセルからブロードキャストデータパケットを受信するステップと、受信された上記ブロードキャストデータパケットの一連番号が受信ウィンドー内に属していないと、上記ブロードキャストデータパケットをバッファに記憶し、上記一連番号に基づいて上記受信ウィンドーを更新するステップと、受信された上記ブロードキャストデータパケットの一連番号が上記受信ウィンドー内に属していると、上記一連番号を有するブロードキャストデータパケットが上記バッファに既に記憶されているか否かを検査するステップと、上記ブロードキャストデータパケットが上記バッファに記憶されていると、上記ブロードキャストデータパケットを廃棄するステップと、上記ブロードキャストデータパケットが上記バッファに貯蔵されていないと、上記バッファに上記ブロードキャストデータパケットを記憶するステップとを具備することを特徴とする。
【００２６】
本発明の第２の見地によると、移動端末機において、複数のセルからのブロードキャストデータパケットを結合する装置は、バッファと、上記複数のセルから受信された上記ブロードキャストデータパケットの一連番号が受信ウィンドー内に属していないと、受信された上記ブロードキャストデータパケットを上記バッファに記憶し、受信された上記ブロードキャストデータパケットの一連番号が上記受信ウィンドー内に属しており、上記バッファに記憶されていないと、受信された上記ブロードキャストデータパケットを上記バッファに記憶する選択結合器とを具備し、上記選択結合器は、受信された上記ブロードキャストデータパケットの一連番号が上記受信ウィンドー内に属していないと、上記受信ウィンドーを更新し、受信された上記ブロードキャストデータパケットの一連番号が上記受信ウィンドー内に属しており、上記バッファに記憶されていると、受信された上記ブロードキャストデータパケットを廃棄することを特徴とする。
【００２７】
本発明の第３の見地によると、移動端末機と、上記移動端末機によって設定された主リンクを介して特定のブロードキャストサービスを提供するサービングセルと、上記移動端末機によって設定された補助リンクを介して上記特定のブロードキャストサービスを提供する少なくとも１つのターゲットセルと、上記サービングセル及び上記ターゲットセルへ上記特定のブロードキャストサービスに対するブロードキャストデータパケットを提供する無線網制御器とを含む移動通信システムにおいて、上記移動端末機が、上記サービングセルと、上記少なくとも１つのターゲットセルからのブロードキャストデータパケットを結合する方法は、上記サービングセルと上記ターゲットセルからブロードキャストデータパケットを受信するステップと、受信された上記ブロードキャストデータパケットが既に受信されていたか否かを検査するステップと、受信された上記ブロードキャストデータパケットが既に受信されていた場合、受信された上記ブロードキャストデータパケットを廃棄するステップと、受信された上記ブロードキャストデータパケットが受信されていない場合、受信された上記ブロードキャストデータパケットをバッファに記憶するステップと、上記バッファに記憶されたブロードキャストデータパケットを一連番号の順序で再構成するステップと、再構成された上記ブロードキャストデータパケットのうち、受信失敗一連番号に先行する一連番号を有するブロードキャストデータパケットを上位階層へ伝達するステップとを具備し、上記一連番号は、上記ブロードキャストデータパケットを区分するための識別子であり、上記サービングセル及び上記ターゲットセルで、同一のブロードキャストデータパケットに同一の一連番号が割り当てられることを特徴とする。
【００２８】
本発明の第４の見地によると、移動端末機と、上記移動端末機によって設定された主リンクを介して特定のブロードキャストサービスを提供するサービングセルと、上記移動端末機によって設定された補助リンクを介して上記特定のブロードキャストサービスを提供する少なくとも１つのターゲットセルと、上記サービングセル及び上記ターゲットセルへ上記特定のブロードキャストサービスに対するブロードキャストデータパケットを提供する無線網制御器とを含む移動通信システムにおいて、上記移動端末機が、上記サービングセルと上記少なくとも１つのターゲットセルからのブロードキャストデータを選択的に結合する装置は、上記サービングセル及び上記ターゲットセルから受信されたブロードキャストデータパケットが既に受信されていたか否かを検査し、上記検査の結果、受信された上記ブロードキャストデータパケットが既に受信されていた場合、受信された上記ブロードキャストデータパケットを廃棄し、受信された上記ブロードキャストデータパケットが受信されていない場合、受信された上記ブロードキャストデータパケットを再構成バッファに記憶する重複検査部と、記憶された上記ブロードキャストデータパケットを一連番号により再構成し、再構成された上記ブロードキャストデータパケットのうち、受信失敗一連番号に先行する一連番号を有するブロードキャストデータパケットを上位階層へ伝達する再構成バッファとを含み、上記一連番号は、上記ブロードキャストデータパケットを区分するための識別子であり、上記サービングセル及び上記ターゲットセルで、同一のブロードキャストデータパケットに同一の一連番号が割り当てられることを特徴とする。
【００２９】
本発明の第５の見地によると、移動端末機において、複数のセルからのブロードキャストデータパケットを結合する方法は、上記複数のセルから最初に受信されたブロードキャストデータパケットの一連番号、及びあらかじめ決定された受信ウィンドーサイズに基づいて受信ウィンドーを割り当てるステップと、上記複数のセルから受信された次のブロードキャストデータパケットの一連番号が上記受信ウィンドー内に属しているか否かを検査するステップと、上記一連番号が上記受信ウィンドー内に存在すると、上記次のブロードキャストデータの一連番号と同一の一連番号を有するブロードキャストデータパケットがバッファに既に記憶されているか否かを検査するステップと、上記次のブロードキャストデータの一連番号と同一の一連番号を有するブロードキャストデータパケットが上記バッファに既に記憶されていると、受信された上記次のブロードキャストデータパケットを廃棄するステップと、上記次のブロードキャストデータの一連番号と同一の一連番号を有するブロードキャストデータパケットが上記バッファに記憶されていないと、受信された上記次のブロードキャストデータパケットを上記バッファに記憶するステップと、上記一連番号が上記受信ウィンドー内に存在しないと、受信された上記次のブロードキャストデータパケットを上記バッファに記憶するステップと、上記一連番号及び上記あらかじめ決定された受信ウィンドーサイズに基づいて上記受信ウィンドーを更新するステップと、上記バッファに記憶されているブロードキャストデータパケットのうち、更新された上記受信ウィンドーの範囲を外れた一連番号を有するブロードキャストデータパケットを上位階層へ伝達するステップとを具備することを特徴とする。
【発明の効果】
【００３０】
本発明の実施形態による選択結合器は、ＳＮに基づいて選択的結合を遂行し、これによって、選択的結合をさらに得ることができる。従って、ＵＥは、同一の無線資源でさらなる高品質のサービスを受信することができる、という長所がある。
【発明を実施するための最良の形態】
【００３１】
以下、本発明の望ましい実施形態を添付の図面を参照しつつ詳細に説明する。図面の説明において、同一の構成要素に対してはできるだけ同一の参照符号及び参照番号を付して説明する。また、本発明に関連した公知機能或いは構成に関する説明が本発明の要旨を不明にすると判断された場合に、その詳細な説明を省略する。本発明の実施形態がＭＢＭＳサービスに制限的に適用されるとしても、本発明は他のブロードキャストサービスのタイプにも適用されることができる。
【００３２】
しかしながら、本発明の詳細な説明を具体的に行う前に、頻繁に使用される用語の定義を簡略に整理すると、次の通りである。
【００３３】
共通制御チャンネル（Multicast Control Channel；ＭＣＣＨ）：セル別にＭＢＭＳサービスに関連した情報が送信されるチャンネルである。上記チャンネルを介してセル別に提供されているＭＢＭＳサービスのタイプに関する情報、及び上記ＭＢＭＳサービスが提供されている無線ベアラー（radio bearer）の構成に関する情報が送信されることができる。また、ＭＢＭＳサービスを受信するためにＵＥが有しなければならない他の情報が、上記共通制御チャンネルを介して送信されることができる。
【００３４】
無線リンク制御パケットデータユニット（Radio Link Control Packet Data Unit；ＲＬＣ ＰＤＵ）：ＵＭＴＳ移動通信システムにおいて、第２の階層は、ＲＬＣ（Radio Link Control）階層とＭＡＣ（Medium Access Control）階層とから構成される。上記ＲＬＣ階層は、上位階層が送信したデータを適切なサイズで構成した後、ヘッダーを上記データに挿入して下位階層（ＭＡＣ階層）へ伝達するか、又は、下位階層（ＭＡＣ階層）が送信したデータのヘッダーを分析し、上記分析の結果に従って、適切な動作を遂行した後に上位階層へ伝達する。このとき、ＲＬＣ階層と下位階層（ＭＡＣ階層）との間で交換されるデータを“ＲＬＣ ＰＤＵ”と呼ぶ。説明の便宜上、本発明の実施形態では、上記ＲＬＣ ＰＤＵを“ＰＤＵ”で示す。
【００３５】
ＲＬＣ ＰＤＵ ＳＮ（Radio Link Control Packet Data Unit Sequence Number）：これは、ＲＬＣ ＰＤＵのヘッダーに含まれた一連番号であって、送信順序に従って順次に単調に増加される。ＲＬＣ ＰＤＵ ＳＮは、本発明で提案される選択的結合のために、ＲＬＣ ＰＤＵを区別するための情報として使用される。説明の便宜上、ここでは、ＲＬＣ ＰＤＵ ＳＮを“ＳＮ”で示す。
【００３６】
選択的結合補助データ：これは、複数のセルから受信されたブロードキャストデータのうち、同一のブロードキャストデータを区分して、選択的結合を遂行するためにＲＬＣ ＳＮと共に使用されるデータである。本発明は、上記選択的結合補助データとして、ＲＬＣ ＳＮバージョン（version）及び選択的結合識別子（Selective Combining Indicator；以下、“ＳＣ識別子”と称する）を提案する。
【００３７】
ＲＬＣ ＳＮバージョン：これは、ＲＬＣ ＰＤＵの送信によってＲＬＣ ＳＮがリセットされる回数をカウントした値であり、送信遅延によって相互に異なるセルから受信されたＲＬＣ ＰＤＵの同一性をＲＬＣ ＳＮのみで確認することができない場合に使用される。説明の便宜上、ＲＬＣ ＳＮバージョンを“ＳＮバージョン”で示す。
【００３８】
ＳＣ識別子：これは、特定のセルから提供されている特定のＭＢＭＳサービスが選択的結合を支援するか否かを示す情報である。
【００３９】
通常、ブロードキャストサービスは、その属性上、ほとんどの場合、１つのブロードキャストサービスが隣接した複数のセルで同時に提供される。特に、ブロードキャストサービスのうちの１つであるＭＢＭＳサービスもこのような特性を有する。従って、本発明は、複数のセルから同一のブロードキャストサービスに従うブロードキャストデータのうち、エラーのないブロードキャストデータのみを使用する。このような動作を“選択的結合（selective combining）”と呼ぶ。上記選択的結合を使用することによって、選択的結合利得を得ることができる。例えば、ＵＥがセル＃１及びセル＃２の両方から特定のブロードキャストサービスに従うブロードキャストデータを受信すると仮定する。このとき、セル＃１から受信されたブロードキャストデータがエラーを有し、セル＃２から受信された同一のブロードキャストデータがエラーを有しない場合、ＵＥは、セル＃２から受信されたブロードキャストデータのみを使用する。このようにして、ＵＥは、エラーのないブロードキャストデータを取得することができる。
【００４０】
このような選択的結合のために、ＵＥは、前もって複数のセルと無線リンクを設定しなければならず、相互に異なる無線リンクを介して受信されたブロードキャストデータのうちの同一のデータを判断することができなければならない。従って、本発明は、選択的結合補助データ及びＳＮを使用して同一のブロードキャストデータを識別する方法を提案する。
【００４１】
「Ａ．第１の実施形態」
まず、ＵＥが複数のリンクを介して受信されたＰＤＵのＳＮを用いて、ＲＬＣ ＰＤＵを識別するためには、ネットワークは、下記のような事項を満足させなければならない。
【００４２】
一番目に、同一のサイズを有するＰＤＵは、選択的結合のターゲットリンクへ送信されなければならない。これは、選択的結合を遂行するリンクに対しては、同一のＰＤＵサイズを設定することによって可能である。
【００４３】
二番目に、選択的結合のターゲットリンクへ送信されたＰＤＵには、同一のＳＮが割り当てられなければならない。すなわち、主リンクを介して受信されたＰＤＵと、補助リンクを介して受信されたＰＤＵとが同一のＳＮを有する場合、同一のＰＤＵでなければならない。これは、一番目の条件が満足されると、自動的に満足される。すなわち、主リンク及び補助リンクを介して送信されたＰＤＵは、コアネットワークから送信された同一のＭＢＭＳデータが同一のサイズを有するＰＤＵで構成された後、同一のＳＮがＰＤＵに割り当てられるためである。
【００４４】
三番目に、ＵＥは、選択的結合のターゲットリンクを介して受信されたＰＤＵをＳＮを使用して識別することができなければならない。上記ＳＮが０と１２７との間の値を有するので、主リンク及び補助リンクを介して同一の時点で受信されたＰＤＵのＳＮの差が１２８／２＝６４以上になってはいけない。上記差が６４よりも大きい場合、ＵＥは、補助リンクを介して受信されたＰＤＵの正確な順序を判断することができない。例えば、特定の時点で、ＳＮ‘ａ’を有するＰＤＵが主リンクから受信され、ＳＮ‘（ａ＋６４）’を有するＰＤＵが補助リンクから受信される場合、ＵＥは、補助リンクから受信されたＰＤＵが主リンクから受信されたＰＤＵより６４個のＰＤＵだけ以前に送信されたＰＤＵであるか、あるいは、６４個のＰＤＵだけ後に送信されたＰＤＵであるかを判別することができない。
【００４５】
一方、上述した三番目の条件を満足させる方法では、２種類の方法を提案する。第１の方法において、ネットワークは、リンク別にデータ送信をある程度粗く同期化させる。第２の方法において、リンク別にデータ送信に対する何らの制約がないと、ＰＤＵの識別子として使用されることができる補助データをセル別に独立して送信する。
【００４６】
下記に説明する本発明は、提案された上記二番目の方法に基づいて説明される。しかしながら、提案された上記第１の方法が提案された上記第２の方法の代わりに使用されるとしても、本発明の本質的な部分は同一である。例えば、選択結合器が遂行した、重複して受信されたデータを検出する動作及び再構成動作は、同一である。
【００４７】
上記二番目の方法を適用するために、本発明は、セル別に選択的結合補助データを周期的にブロードキャストし、２つ以上のセルからブロードキャストデータを受信するＵＥが上記選択的結合補助データ及び上記ブロードキャストデータに割り当てられたＳＮを使用して選択的結合を遂行する。
【００４８】
要約すると、特定のＭＢＭＳサービスを提供するＲＮＣは、上記ＭＢＭＳサービスが提供されるセル別に上記ＭＢＭＳサービスに対する選択的結合補助データを公示する。上記“選択的結合補助データ”は、ＵＥが選択的結合を遂行するために認知しなければならないデータを意味する。例えば、“選択的結合補助データ”は、特定のＭＢＭＳサービスが上記セルで選択的結合が可能であるか否かを示すデータ（ＳＣ識別子）、又は、上記セルから送信されたＰＤＵの識別に使用される補助データ（ＳＮバージョン）であり得る。ＵＥは、特定のセルからＭＢＭＳサービスを受信する間に、良好な無線環境で、自身が所望するＭＢＭＳサービスを提供する新たなセルを発見すると、新たな上記セルから公示されている選択的結合補助データを取得する。そして、ＵＥは、上記選択的結合補助データを用いて、上記複数のセルから送信されたＭＢＭＳデータに対する選択的結合動作を遂行する。
【００４９】
上述したように、上記選択的結合動作は、主リンク及び補助リンクを介して受信されたＰＤＵのうち、重複して受信されたＰＤＵを廃棄し、送信された順序で再構成されたＰＤＵをＲＬＣエンティティーへ伝達する動作を意味する。上記過程において、上記選択的結合補助データは、主リンク及び補助リンクを介して受信されたＰＤＵを識別するのにも使用されることができる。
【００５０】
本発明は、上記選択的結合動作を遂行する装置として選択結合器を提示する。上記選択結合器は、ＭＡＣ階層とＲＬＣ階層の間に位置する。上記選択結合器は、補助リンクの設定と共に構成され、現在設定された複数のリンクのうちの１つのリンクのみが存在する状況では使用されない。上記補助リンクは、新たなセルから送信されたＭＢＭＳデータを処理する物理階層／ＭＡＣ階層を示す。
【００５１】
以下、本発明の実施形態によるＳＮバージョン及びＳＣ識別子を選択的結合補助データとして使用して選択的結合を遂行する動作について説明する。
【００５２】
図１は、本発明の実施形態を適用するためのＵＭＴＳ移動通信システムにおける無線接続網（以下、“ＵＴＲＡＮ”と称する）の構成を示す図である。図１において、ＵＴＲＡＮは、セルと、基地局（以下、“Ｎｏｄｅ Ｂ”と称する）と、無線網制御器（ＲＮＣ；Radio Network Controller）とを含む。ＵＴＲＡＮ内には、複数のＲＮＣが存在することができ、上記各ＲＮＣは、複数のＮｏｄｅ Ｂを制御することができる。Ｎｏｄｅ Ｂの各々は、複数のセルを制御する。１つのＲＮＣ、ＲＮＣの制御を受けるＮｏｄｅ Ｂ、及びＮｏｄｅ Ｂの制御を受ける複数のセルは、無線網サブシステム（Radio Network Subsystem；ＲＮＳ）を構成する。
【００５３】
図１は、ＵＴＲＡＮに含まれた複数のＲＮＳのうちの１つのＲＮＳのみを示し、ＲＮＳに含まれた２つのＮｏｄｅ Ｂの各々は、１つのセルを制御すると仮定する。一般的に、上記セルは、自身が属するＮｏｄｅ Ｂの物理階層としての機能のみを遂行する。従って、下記に説明する本発明の実施形態において、Ｎｏｄｅ Ｂ及びセルは混用されることができることに注意すべきである。
【００５４】
図１を参照すると、ＲＮＣ１１０は、コアネットワークから提供されているＭＢＭＳデータをＰＤＵで構成し、２つの隣接セル１１２及び１１４へ提供する。また、ＲＮＣ１１０は、各ＭＢＭＳサービスに関する選択的結合補助データを、ＭＣＣＨを介して２つの隣接セル１１２及び１１４の各々へ周期的に送信する。
【００５５】
上記選択的結合補助データは、ＳＮバージョン及びＳＣ識別子を含む。上記ＳＮバージョンは、ＵＥ１１６が主リンクを介して受信されたＰＤＵと補助リンクを介して受信されたＰＤＵとの前後関係を識別するのに使用される補助データである。ＰＤＵのＳＮは、それぞれのリンクから受信されたＰＤＵ間の前後関係を識別するのに一次的に使用される。しかしながら、ＳＮが７ビットのみを有するので、送信状況という観点で、リンク間に発生し得る差を反映することができないこともある。
【００５６】
例えば、主リンクと補助リンクとの間に数百個のＰＤＵだけの送信差が発生すると、ＳＮは、受信されたＰＤＵの前後関係を識別するのに何の助けにもならない。すなわち、（ｘ＋５００）番目のＰＤＵが補助リンクを介して送信される間に、ｘ番目のＰＤＵは、主リンクを介して送信される。０と１２７との間の値を有するＳＮは、受信された上記ＰＤＵの前後関係を識別するのに何の助けにもならない。上記ＳＮバージョンは、上記のような送信状況が発生するとしても、ＵＥがＰＤＵを識別することができるように、ＳＮを拡張する効果をもたらすパラメーターである。ＲＮＣ１１０は、リンク別に構成されたＰＤＵのＳＮが循環（wraparound）する度に、上記ＳＮバージョンを１ずつ増加させ、上記ＳＮバージョンを周期的にブロードキャストする。ここで、ＳＮの循環の例は、１２７から０への戻りを示す。
【００５７】
上記選択的結合補助データを構成するＳＣ識別子は、該当リンクを介して送信されたＰＤＵと他のリンクを介して送信されたＰＤＵとの選択的結合が可能であるか否かを示す値である。上記ＳＣ識別子は、該当リンクのＲＬＣ構成が上述した第１及び第２の条件を満足するか否かを検査することによって決定されることができる。例えば、特定のリンクが隣接セルのリンクよりも遅く駆動されると、同一のＳＮがＰＤＵに割り当てられなければならないことを示す第２の条件は、満足されない。このようなリンクに対して、ＳＣ識別子は、‘不可能'に設定されて、ＵＥが選択的結合を遂行しないように指示することができる。
【００５８】
例えば、上記のような場合が実際に発生する状況を例に挙げると、ＭＢＭＳサービスの開始時点では、特定のセルにおいて、特定のＭＢＭＳサービスを受信することを希望するＵＥの数はＰｔＭサービスを遂行する程度にあまり多くないが、しかしながら、上記ＭＢＭＳサービスを遂行する間に、幾つかのＵＥが上記セルへ移動することによって、ＰｔＭサービスを開始する場合がある。この場合、ＳＮ体系という観点から、上記セルのリンクが他のセルのリンクとは異なるので、ＵＥは、上記セルのリンクと他のセルのリンクとの間の選択的結合を遂行することができない。
【００５９】
ＵＥ１１６は、上記ＭＢＭＳサービスをサービングセル１１２を介して受信している状況で、新たなセル１１４の無線信号が基準値を超過することを示す状況を感知する。すると、ＵＥ１１６は、新たなセル１１４からＭＢＭＳサービスを受信することができる無線リンクを設定する。新たなセル１１４との無線リンクを設定するために、ＵＥ１１６は、新たなセル１１４からＭＣＣＨを通して送信された制御情報を分析しなければならない。上記制御情報は、選択的結合補助データを含む。
【００６０】
ＵＥ１１６は、上記制御情報を分析することによって、新たなセル１１４から自身が所望するＭＢＭＳサービスが共通チャンネルを介して提供されているか否かを確認する。自身が所望するＭＢＭＳサービスが提供されていると、ＵＥ１１６は、選択的結合が可能であるか否かを確認する。上記選択的結合が可能であると、ＵＥ１１６は、上記制御情報から上記ＭＢＭＳサービスに対する無線ベアラーに関する情報を分析して、上記ＭＢＭＳサービスを受信することができる補助リンクを設定する。上記無線ベアラーは、ＲＬＣ階層、ＭＡＣ階層、及び物理階層を含む。リンクは、これらの中のＭＡＣ階層及びＰＨＹ階層を含む。従って、ＵＥ１１６は、新たなセル１１４に対して構成された無線リンクを補助リンクとして設定し、サービングセル１１２に対して構成された無線リンクを主リンクとして設定する。
【００６１】
ＵＥ１１６は、上記主リンクを介して受信されたＰＤＵ及び上記補助リンクを介して受信されたＰＤＵに対する選択的結合を遂行する選択結合器を構成する。ＵＥ１１６は、上記主リンクに対応するＳＮバージョン情報及び上記補助リンクに対応するＳＮバージョン情報を上記選択結合器へ提供する。上記選択結合器は、ＳＮをＳＮバージョンと結合することによって、ＳＮが拡張された効果を得る。ここで、ＳＮをＳＮバージョンと結合した値を該当ＰＤＵの“拡張されたＳＮ”と称する。
【００６２】
ＵＥ１１６は、拡張された上記ＳＮを使用して、上記主リンク及び上記補助リンクを介して受信されたＰＤＵのうち、重複して受信されたＰＤＵを識別する。そして、ＵＥ１１６は、重複して受信されたＰＤＵのうちの１つを廃棄し、残りのＰＤＵを上位階層へ伝達する重複検査（Duplication Check）動作を遂行する。また、ＵＥ１１６は、ＰＤＵがＲＬＣ階層へ順次に送信されることができるように、上記重複検査を介して提供されたＰＤＵを再構成する動作を遂行する。上記重複検査動作及び上記再構成動作は、本発明で提案する選択的結合動作を構成する。
【００６３】
上述したような本発明の実施形態のためには、次のような動作が具体的に説明されなければならない。
【００６４】
一番目に、選択的結合補助データを提供するためのＲＮＣとセルとＵＥとの間のシグナリングが提案されなければならない。
【００６５】
二番目に、選択的結合補助データを管理して、これを周期的に送信するためのＲＮＣ動作が提案されなければならない。
【００６６】
三番目に、選択的結合補助データを用いて、ＵＥが選択的結合を遂行する動作が提案されなければならない。
【００６７】
「１．シグナリング」
図２は、本発明の実施形態によるＲＮＣがセル別に選択的結合補助データを公示し、これをＵＥが受信する手順を示すシグナリング図である。図２で示すシグナリングは、ＵＥがサービングセルを通して特定のＭＢＭＳサービスを受信する状況で、ターゲットセルを通して良好な信号を受信し始めることを仮定している。上記“サービングセル”は、特定のＭＢＭＳサービスをＵＥへ既に提供しているセルを意味し、上記“ターゲットセル”は、ＵＥの移動により、上記特定のＭＢＭＳサービスを新たに提供するセルを意味する。
【００６８】
図２を参照すると、ステップ２１０で、ＵＥは、サービングセルからＭＣＣＨを受信する。ＵＥは、上記ＭＣＣＨを受信することによって、上記サービングセルを通して現在提供されているＭＢＭＳサービスの種類に関する情報及びリンク設定のための無線ベアラー（radio bearer）情報と共に、選択的結合補助データを獲得する。上記選択的結合補助データは、上記サービングセルが選択的結合を支援するか否かを識別するためのＳＣ識別子と、現在送信されているＰＤＵを識別するためのＳＮバージョンとを含む。
【００６９】
ＵＥは、上記ＭＢＭＳサービスの種類に関する情報に基いて、上記サービングセルから自身が希望するＭＢＭＳサービスが提供されているか否かを確認する。所望する上記ＭＢＭＳサービスが提供されていると、ＵＥは、上記ＭＢＭＳサービスに対応する無線ベアラー情報を用いて、無線ベアラーを設定する。上記無線ベアラーは、ＲＬＣ階層とＭＡＣ階層とＰＨＹ階層とから構成されることができる。ＭＡＣ階層及びＰＨＹ階層は、“リンク”という用語で定義されることができる。下記の説明では、サービングセルに対して構成されたＭＡＣ階層及びＰＨＹ階層を“主リンク”と称する。
【００７０】
その後、ＵＥは、上記選択的結合補助データを構成するＳＣ識別子に基づいて、上記サービングセルが選択的結合を支援するか否かを確認する。上記サービングセルが選択的結合を支援しないと、ＵＥは、本発明で提案する選択的結合を遂行しない。しかしながら、上記サービングセルが選択的結合を支援すると、ＵＥは、上記選択的結合補助データを構成するＳＮバージョンを記憶する。
【００７１】
ＵＥは、上記主リンクを介して上記サービングセルからＲＬＣ ＰＤＵを受信する。ＵＥは、受信された上記ＰＤＵからＳＮを確認し、上記ＳＮが初期値を有すると確認されると、上記ＳＮバージョンを１増加させる。例えば、以前に受信されたＰＤＵのＳＮが１２７に設定され、現在受信されたＰＤＵのＳＮが０に戻ったとすると、ＵＥは、現在記憶されているＳＮバージョンを１増加させる。
【００７２】
ＵＥは、上記サービングセルからＭＢＭＳサービスを受信している状況で、隣接セルから良好な信号が受信されるか否かを監視する。上記良好な信号が受信されるということは、良好な無線環境を有することを意味する。ＵＥは、良好な信号が受信されると、上記信号を送信する隣接セルをターゲットセルとして認識する。そして、ステップ２２０で、ＵＥは、上記ターゲットセルからＭＣＣＨを受信することによって、上記ターゲットセルを通して現在提供されているＭＢＭＳサービスの種類に関する情報及びリンク設定のための無線ベアラー情報と共に選択的結合補助データを獲得する。
【００７３】
ＵＥは、上記ＭＢＭＳサービスの種類に関する情報に基いて、上記ターゲットセルから自身が希望するＭＢＭＳサービスが提供されているか否かを確認する。ここで、“所望するＭＢＭＳサービス”は、上記サービングセルから現在提供されているＭＢＭＳサービスを示す。所望する上記ＭＢＭＳサービスが提供されると、ＵＥは、上記選択的結合補助データを構成するＳＣ識別子に基づいて、上記ターゲットセルが選択的結合を支援するか否かを確認する。上記ターゲットセルが選択的結合を支援しないと、上記サービングセルが選択的結合を支援するとしても、ＵＥは、本発明で提案する選択的結合を遂行しない。すなわち、上記ターゲットセルが選択的結合を支援しないと、ＵＥは、上記ターゲットセルに対する補助リンクを構成しない。しかしながら、上記ターゲットセルが選択的結合を支援すると、ＵＥは、上記ＭＢＭＳサービスに対応する無線ベアラー情報を用いて、無線ベアラーを設定する。上記無線ベアラーは、ＲＬＣ階層とＭＡＣ階層とＰＨＹ階層とから構成されることができる。下記の説明において、ターゲットセルに対して構成されたＭＡＣ階層及びＰＨＹ階層を“補助リンク”と称する。上記補助リンクが構成されると、ＵＥは、上記選択的結合補助データを構成するＳＮバージョンを記憶する。
【００７４】
ＵＥは、上記補助リンクを介して上記ターゲットセルからＰＤＵを受信する。ＵＥは、受信された上記ＰＤＵからＳＮを確認し、上記ＳＮが初期値に変わると、上記ＳＮバージョンを１増加させる。
【００７５】
「２．ＲＮＣの動作」
本発明の実施形態のために、ＲＮＣは、選択的結合補助データを管理し、これを周期的に各セルに提供しなければならない。以下、ＲＮＣが選択的結合補助データを周期的に送信するための動作を詳細に説明する。
【００７６】
ＲＮＣは、自身が管理するセル別に設定されたＭＣＣＨを介して選択的結合補助データを周期的に送信する。上記選択的結合補助データは、ＭＢＭＳサービス別に設定される。従って、１つのセルでＮ個のＭＢＭＳサービスが提供されていると、Ｎ個の選択的結合補助データは、上記セルに対して構成されたＭＣＣＨを介して周期的に送信されることができる。
【００７７】
まず、選択的結合補助データに含まれたＳＮバージョンは、ＲＮＣによって下記のように管理されて送信される。
【００７８】
ＲＮＣは、自身が管理するセルから特定のＭＢＭＳサービスが最初に要求される時、上記ＭＢＭＳサービスに対するＭＢＭＳデータを処理するＲＬＣエンティティーを構成する。そして、上記特定のＭＢＭＳサービスに対応するＳＮバージョンを０に初期化する。この後、ＲＮＣは、ＲＬＣエンティティーを介して、上記特定のＭＢＭＳサービスに対するＰＤＵを順次に送信する。このとき、上記ＰＤＵは、送信順序に従って順次に単調に増加するＳＮを含む。ＳＮは、０から始めてあらかじめ決定された特定の数まで単調に増加する。例えば、ＳＮは、０から１２７まで増加し、１２７の後には０に戻る。ＲＮＣは、ＳＮが０に戻る時点で、上記ＳＮバージョンを１増加させる。
【００７９】
上述の方式にて管理される各セルのＳＮバージョンは、上記特定のＭＢＭＳサービスが提供されているセルに対してＲＮＣが周期的に公示することによって、上記特定のＭＢＭＳサービスに対する選択的結合を遂行することを希望するＵＥが、上記ＳＮバージョンを区別することができるようにする。
【００８０】
次に、選択的結合補助データに含まれたＳＣ識別子は、ＲＮＣによって下記のように管理されて送信される。
【００８１】
ＲＮＣは、自身によって制御されるセルを通して提供されているＭＢＭＳサービス別に、選択的結合を支援するか否かを示すＳＣ識別子を管理する。このとき、同一のＭＢＭＳサービスを提供するセルであるとしても、選択的結合を支援するセルと選択的結合を支援しないセルとに区分されることができる。また、特定のＭＢＭＳサービスの場合には、セルと無関係に選択的結合を支援しないこともある。このような情報に基いて、上記ＳＣ識別子は、ＲＮＣにより管理される。ＲＮＣは、ＭＢＭＳサービス別に設定されたＳＣ識別子を周期的に送信する。
【００８２】
例えば、ＲＮＣは、セル＃１を介して提供された特定のＭＢＭＳサービスに対して選択的結合が支援されることができると、上記特定のＭＢＭＳサービスに対するＳＣ識別子を“可能”に設定して、上記セル＃１を介して周期的にブロードキャストする。一方、ＲＮＣは、セル＃２を介して提供されている特定のＭＢＭＳサービスに対して選択的結合を支援することができないと、上記特定のＭＢＭＳサービスに対するＳＣ識別子を“不可能”に設定して、上記セル＃２を介して周期的にブロードキャストする。
【００８３】
「３．ＵＥの動作」
以下、本発明の実施形態に従って、選択的結合を遂行するＵＥの動作を具体的に説明すると、次の通りである。
【００８４】
図３は、本発明の実施形態によるＵＥが選択的結合を遂行するための手順を示すフローチャートである。図３において、ＵＥとサービングセルとの間に無線リンクが設定され、上記無線リンクを介して特定のＭＢＭＳサービスが提供されていると仮定する。
【００８５】
図３を参照すると、ＵＥは、ステップ３０１で、隣接セルから信号を受信し、上記受信信号から良好な信号を感知する。上記“良好な信号”という用語は、幾通りかの方法で定義されることができる。例えば、受信信号の強度を用いる方法では、受信信号の強度が所定のしきい値を超過すると、上記受信信号が良好な信号であると判断されることができる。上記良好な信号が存在するということは、ＵＥが上記良好な信号を送信した特定の隣接セル（以下、“ターゲットセル”と称する）に近接したことを意味する。従って、ＵＥは、サービングセル及び上記ターゲットセルから信号を同時に受信することができる。一方、上記ターゲットセルは、１つ又はそれ以上のセルであり得る。
【００８６】
上記ターゲットセルが複数であると仮定すると、ＵＥは、ステップ３０３で、上記ターゲットセルからＭＣＣＨを受信し、もっとも良好な信号が受信されるターゲットセルからＭＣＣＨを選択する。上記ＭＣＣＨは、上記ターゲットセルから提供されているＭＢＭＳサービスに対する識別子と、上記ＭＢＭＳサービスの無線ベアラー情報と、選択的結合補助データとを送信するのに使用される。ＵＥは、選択された上記ＭＣＣＨを介して受信された情報を確認した後、ステップ３０５へ進行する。
【００８７】
ステップ３０５で、ＵＥは、上記ターゲットセルが自身の希望するＭＢＭＳサービスを提供しているか否かを確認する。自身の希望するＭＢＭＳサービスが提供されていると、ＵＥは、ステップ３０７へ進行する。しかしながら、自身の希望するＭＢＭＳサービスが提供されていないと、ＵＥは、ステップ３０９へ進行する。
【００８８】
ステップ３０７で、ＵＥは、上記選択的結合補助データのうち、ＳＣ識別子に基づいて上記ターゲットセルが選択的結合を支援するか否かを判断する。上記ＳＣ識別子によって上記ターゲットセルが選択的結合を支援すると判断されると、ＵＥは、ステップ３１１へ進行する。一方、上記ターゲットセルが選択的結合を支援しないと判断されると、ＵＥは、ステップ３０９へ進行する。
【００８９】
ステップ３０９で、ＵＥは、二番目に良好な信号が受信されるターゲットセルからＭＣＣＨを選択し、選択された上記ＭＣＣＨを介して受信された情報を確認した後、ステップ３０５へ戻る。
【００９０】
しかしながら、ステップ３１１で、ＵＥは、自身の希望するＭＢＭＳサービスを受信するために、上記ターゲットセルとの無線リンク、すなわち、補助リンクを設定する。上記補助リンクは、ＭＣＣＨを介して受信された無線ベアラー情報に基づいて設定される。上記無線ベアラー情報は、物理階層情報とＭＡＣ階層情報とを含む。上記物理階層情報は、トランスポートチャンネルに関する情報であって、物理チャンネルに対応するコード情報と、物理チャンネルに適用されるチャンネルコーディングのタイプと、チャンネルコーディングレートと、ＴＴＩ（Transmission Time Interval）とを含む。上記ＭＡＣ階層情報は、ＭＡＣ階層での多重化が適用されるか否かを示す多重化情報と、ＭＡＣ階層でのサービス識別子が使用される否かを示すサービス識別子情報とを含む。ＵＥは、上記物理階層情報に基づいて新たな物理階層を設定し、上記ＭＡＣ階層情報に基づいて新たなＭＡＣ階層を設定する。上記補助リンクは、新たに設定された上記物理階層及びＭＡＣ階層を意味する。
【００９１】
上述したように、補助リンクの設定が完了すると、ＵＥは、ステップ３１３で、選択的結合のための選択結合器を構成する。その後、ＵＥは、上記選択結合器を上記主リンク及び上記補助リンクに接続し、上記主リンク及び上記補助リンクを介して受信されたブロードキャストデータに対する選択的結合を遂行する。上記選択結合器については、図４を参照して具体的に説明する。
【００９２】
ＵＥは、ステップ３１５で、上記主リンク又は上記補助リンクの解除が要求される状況が発生するか否かを持続的に監視する。上記解除が要求される状況は、あらかじめ決定されたしきい値に及ばない強度を有する信号が受信される状況に該当する。このような状況が感知されると、ＵＥは、該当セルとのリンクを解除する。
【００９３】
例えば、上記主リンクを介して希望する程度の信号が受信されることができないと、ＵＥは、上記主リンクを解除する。一方、上記補助リンクを介して所望する程度の信号が受信されることができないと、上記補助リンクを解除する。ステップ３１５で、１つのリンクのみが存在すると判断されると、ＵＥは、ステップ３１７へ進行して、以前に構成された選択結合器を解除することによって選択的結合動作を終了する。
【００９４】
図４は、本発明の実施形態によるＵＥの構成を示すブロック図である。図４において、ＵＥが、選択的結合のために選択結合器を有すると仮定する。しかしながら、サービングセルに対する主リンクのみが存在するので、選択的結合を遂行しない状況では、ＵＥの構成は、上記サービングセルから受信された信号を処理するのに必要とされる構成のみを有する。従って、ＵＥは、物理階層４１２とＭＡＣ階層４１４とを含む主リンク４１０及びＲＬＣ階層４４０のみから構成される。その後、ＵＥが上記サービングセルから提供されているＭＢＭＳサービスと同一のＭＢＭＳサービスをターゲットセルからも新たに受信することを希望する場合、ＵＥは、上記ターゲットセルとの補助リンクを構成する。図４は、上記補助リンクが構成されたＵＥの構成を示す。
【００９５】
図４を参照すると、ＵＥは、補助リンクを設定しようとするターゲットセルからＭＣＣＨを介して物理階層情報及びＭＡＣ階層情報を獲得する。その後、ＵＥは、上記物理階層情報に基づいて新たな物理階層４２２を設定し、上記ＭＡＣ階層情報に基づいて新たなＭＡＣ階層４２４を設定する。物理階層４２２及びＭＡＣ階層４２４の設定は、新たな補助リンクの設定を意味する。また、ＵＥは、本発明の実施形態による選択結合器４３０を設定する。その後、ＵＥは、その下位階層に主リンク４１０及び補助リンク４２０を接続し、その上位階層にＲＬＣ階層４４０を接続する。
【００９６】
選択結合器４３０は、重複検査部（Duplication Checker）４３２及び再構成バッファ（Reordering Buffer）４３４を含む。選択結合器４３０は、主リンク４１０及び補助リンク４２０を介して受信されたＰＤＵのうち、重複したＰＤＵは廃棄し、上記重複が除去されたＰＤＵを送信された順序によって再構成して、ＲＬＣ階層４４０へ送信する。すなわち、主リンク４１０及び補助リンク４２０を介して同一のＰＤＵが受信されることができる。この場合、選択結合器４３０に含まれた重複検査部４３２は、主リンク４１０を介して受信されたＰＤＵ及び補助リンク４２０を介して受信されたＰＤＵのうちの１つは廃棄し、残りの１つのＰＤＵのみを出力する。一方、重複検査部４３２から出力されたＰＤＵは、送信順序と同一の順序を有するとはいえない。従って、重複検査部４３２から出力されたＰＤＵは、再構成バッファ４３４に臨時に記憶された後、送信順序により再構成されてＲＬＣ階層４４０へ送信される。
【００９７】
重複検査部４３２で、主リンク４１０から提供されているＰＤＵ及び補助リンク４２０から提供されているＰＤＵが相互に重複するか否かを確認するためには、別途の情報を要求する。上記ＰＤＵが有するＳＮを、要求された上記情報として使用することができる。しかしながら、上記同一のＳＮを有するＰＤＵが必ずしも重複ＰＤＵであると断定することはできない。その理由は、上記ＳＮは、所定の周期で割り当てられ、主リンク４１０を介して提供されているＰＤＵと補助リンク４２０を介して提供されているＰＤＵとの間の遅延差が１周期を超える場合、上記２つのＰＤＵが重複したＰＤＵであると見なされることができないからである。相互に重複したＰＤＵを確認することは、ＳＮバージョンに基いて可能である。
【００９８】
上述したように、上記ＳＮバージョンは、上記周期に従って変化する値である。従って、上記ＰＤＵが、上記同一のＳＮを有するとしても、相互に異なるＳＮバージョンを有する場合、重複ＰＤＵであると判断されることができない。このような問題点を解消するために、本発明は、上記重複を確認するための別途の情報として、拡張されたＳＮ（Extended SN）を提案する。拡張された上記ＳＮは、下記式（１）のように定義される。
【００９９】
【数１】
2007520114.tif 000003
【０１００】
式（１）に示すように、リンクｘを通して提供されているＰＤＵの拡張されたＳＮである‘ｅｘｔｅｎｄｅｄ ＳＮ＿ｘ’は、リンクｘに対応するＳＮバージョンである‘ＳＮ ｖｅｒｓｉｏｎ＿ｘ’をＳＮである‘ＳＮ＿ｘ’に連鎖した値である。例えば、主リンクのＳＮバージョンが“００１”であり、主リンクを介して受信されたＰＤＵのＳＮが“００００１１１”であると、拡張された上記ＳＮは、“００１００００１１１”となる。
【０１０１】
従って、重複検査部４３２は、主リンク４１０から提供されているＰＤＵ及び補助リンク４２０から提供されているＰＤＵに対する拡張されたＳＮを求め、拡張された上記ＳＮを比較することによって、重複したか否かを確認することができる。しかしながら、ＰＤＵのＳＮは、拡張された上記ＳＮには置き換えられない。拡張された上記ＳＮは、主リンク４１０及び補助リンク４２０から受信されたＰＤＵの前後関係を把握するためにのみ使用される。
【０１０２】
「ＵＥでの選択的結合の具体的動作」
以下、本発明の実施形態によるＵＥでの選択的結合のための重複検査部及び再構成バッファの動作について詳細に説明すると、次の通りである。
【０１０３】
「重複検査部の動作例」
重複検査部４３２は、主リンク及び補助リンクを介して重複して受信されたＰＤＵを廃棄するか、又は、永久的に受信されないＰＤＵ（以下、“永久紛失ＰＤＵ”と称する）を確認する。すなわち、重複検査部４３２は、主リンク及び補助リンクから受信された複数のＰＤＵのうちの１つのＰＤＵのみを上位階層へ送信し、残りのＰＤＵは廃棄する。このとき、上記複数のＰＤＵは、所定の遅延をもって受信されることができる。そして、重複検査部４３２は、上記主リンク及び上記補助リンクのうちのいずれか１つのリンクを介しても受信されない‘永久紛失ＰＤＵ'を確認し、これを上位階層へ通知する。重複検査部４３２の動作を実現する方案には幾つかの方法がある。下記の説明は、その可能な方法のうちの１つとすることができる。
【０１０４】
まず、下記の説明で使用されるパラメータに対して定義すると、次のようである。
【０１０５】
Ｖ［Ｄｅｌｉｖｅｒｅｄ］：これは、再構成バッファ４３４へ伝達されたＰＤＵのＳＮのうちもっとも大きい値であり、説明の便宜上、Ｖ［Ｄ］で表記する。
【０１０６】
Ｓ[Ｎｏｔ Ｒｅｃｅｉｖｅｄ]：これは、主リンク又は補助リンクのうちのいずれか１つのリンクから最初に紛失されたＰＤＵ（以下、“紛失ＰＤＵ”と称する）のＳＮ集合であって、説明の便宜上、Ｓ［ＮＲ］で表記する。上記Ｓ［ＮＲ］は、最初に空集合（empty set）に初期化される。この後、主リンク又は補助リンクから紛失ＰＤＵが発生すると、上記紛失ＰＤＵが該当時点の前に再構成バッファ４３４へ伝達されたことがあるか否かを確認する。再構成バッファ４３４へ伝達されたことがないと、上記紛失ＰＤＵのＲＬＣ ＳＮは、Ｓ［ＮＲ］ に登録される。しかしながら、上記紛失ＰＤＵが再構成バッファ４３４へ伝達されたことがあると、上記紛失ＰＤＵは無視される。
【０１０７】
一方、上記紛失ＰＤＵのＳＮがＳ［ＮＲ］に既に登録されていると、上記紛失ＰＤＵのＳＮは、上記紛失ＰＤＵが主リンク及び補助リンクのすべてから紛失されたＰＤＵであるので、Ｓ［ＮＲ］から消去される。最後に、Ｓ［ＮＲ］に登録されたＳＮを有するＰＤＵが残っているリンクを介して正常に受信されると、正常に受信された上記ＰＤＵのＳＮは、Ｓ［ＮＲ］から消去される。
【０１０８】
Ｓ［Ｍｉｓｓｉｎｇ］：これは、主リンク及び補助リンクのうちのいずれか１つから正常に受信されない紛失されたすべてのＰＤＵのＳＮ集合であって、説明の便宜上、Ｓ［Ｍ］で表記する。すなわち、上記Ｓ［Ｍ］に登録されたＳＮは、上記主リンクと上記補助リンクのすべてから紛失されてＳ［ＮＲ］から消去されたＳＮである。
【０１０９】
重複検査部４３２は、新たに構成された補助リンクを介して最初のＰＤＵを受信すると、主リンクからもっとも最近に受信されて、再構成バッファ４３４へ伝達されたＰＤＵのＳＮでＶ［Ｄ］を初期化する。上記Ｖ［Ｄ］の初期化は、個々の手順にて遂行する代わりに、重複検査部４３２は、上記補助リンクが構成される前から、上記主リンクを介して受信されて上位階層へ伝達されたＰＤＵのＳＮのうちのもっとも高いＳＮでＶ［Ｄ］を更新することもできる。この後、重複検査部４３２は、上記補助リンクを介して最初に受信されたＰＤＵのＳＮを上記Ｖ［Ｄ］に登録されたＳＮと比較する。上記ＰＤＵのＳＮがＶ［Ｄ］に登録されたＳＮよりも大きい場合、重複検査部４３２は、上記ＰＤＵを再構成バッファ４３４へ伝達する。このとき、上記Ｖ［Ｄ］は、再構成バッファ４３４へ伝達されたＰＤＵのＳＮで更新される。その後、重複検査部４３２は、上記主リンク及び上記補助リンクを介して上記Ｖ［Ｄ］に登録されたＳＮよりも大きいＳＮを有するＰＤＵが受信される場合、同一の動作を遂行する。
【０１１０】
しかしながら、重複検査部４３２は、上記補助リンクを介して受信された最初のＰＤＵ、又は、この後に上記主リンク又は上記補助リンクを介して受信されたＰＤＵのＳＮがＶ［Ｄ］に登録されたＳＮよりも小さいか、又は同一であるかを確認する。上記ＰＤＵのＳＮが上記Ｖ［Ｄ］に登録されたＳＮよりも小さいか、又は同一である場合、重複検出部４３２は、Ｓ［ＮＲ］の元素として上記ＰＤＵのＳＮと一致するいくらかのＳＮが存在するか否かを確認する。一致するＳＮがＳ［ＮＲ］に存在しないと、重複検出部４３２は、上記ＰＤＵが重複して受信されたものと判断して、上記ＰＤＵを廃棄する。これは、主リンクと補助リンクを介して同一のＰＤＵが重複して受信されたことを示す。
【０１１１】
しかしながら、上記ＰＤＵのＳＮが上記Ｓ［ＮＲ］の元素として存在すると、重複検査部４３２は、上記ＰＤＵを再構成バッファ４３４へ伝達する。そして、重複検査部４３２は、上記Ｓ[ＮＲ]の元素として存在する上記ＰＤＵのＳＮを削除する。これは、主リンク及び補助リンクのうちのいずれか１つのリンクを介して上記ＰＤＵが紛失されたが、残っているリンクを介して上記紛失ＰＤＵが受信された場合に該当する。
【０１１２】
一方、上記主リンク又は補助リンクを介してある紛失ＰＤＵが発生すると、重複検査部４３２は、上記紛失ＰＤＵのＳＮが上記Ｓ［ＮＲ］の元素として存在するか否かを確認する。上記紛失ＰＤＵのＳＮが上記Ｓ［ＮＲ］の元素として存在すると、重複検査部４３２は、上記紛失ＰＤＵのＳＮを上記Ｓ［ＮＲ］から削除する。その後、重複検査部４３２は、上記紛失ＰＤＵのＳＮをＳ［Ｍ］の元素として登録し、上記Ｓ［Ｍ］の元素として登録されたＳＮを再構成バッファ４３４へ通知し、再構成バッファ４３４が受信された上記ＰＤＵを再構成するのに参照することができるようにする。一方、重複検査部４３２は、再構成バッファ４３４に通知されたＳＮを上記Ｓ[Ｍ]から除去する。これは、該当ＰＤＵが、上記主リンク及び上記補助リンクのすべてから紛失された場合に該当する。しかしながら、上記紛失ＰＤＵのＳＮが上記Ｓ［ＮＲ］の元素として存在しないと、重複検査部４３２は、上記紛失ＰＤＵのＳＮを上記Ｓ［ＮＲ］の元素として登録する。
【０１１３】
重複検査部４３２は、下記のような状況を該当ＰＤＵの紛失と見なす。
【０１１４】
一番目に、リンク別に特定の時点で受信されたＰＤＵのＳＮと以前に受信されたＰＤＵのＳＮとの差が１よりも大きい状況が発生すると、重複検査部４３２は、受信失敗ＳＮを有するＰＤＵを紛失ＰＤＵと見なす。このためには、リンク別に以前に受信されたＰＤＵのＳＮを管理しなければならない。
【０１１５】
例えば、特定の時点で主リンクから受信されたＰＤＵのＳＮが１３であるが、以前に受信されたＰＤＵのＳＮが１０であると、重複検査部４３２は、１１及び１２をＳＮとするＰＤＵを紛失ＰＤＵと見なす。
【０１１６】
一方、他の例として、受信されるＰＤＵのＳＮを管理する方法も提案することができる。例えば、特定の時点で主リンクから受信されたＰＤＵのＳＮが１０であるが、連続して受信されたＰＤＵのＳＮが１３である場合、重複検査部４３２は、１１及び１２をＳＮとするＰＤＵを紛失ＰＤＵと見なすことができる。
【０１１７】
二番目に、重複検査部４３２は、ＰＤＵが補助リンクを介して最初に受信される時点で、主リンク及び補助リンクのすべてを考慮することによって紛失ＰＤＵを把握することができる。すなわち、Ｖ（Ｄ）が初期化された後、補助リンクを介して最初に受信されたＰＤＵのＳＮがＶ（Ｄ）の初期値よりも大きい場合、重複検査部４３２は、Ｖ［Ｄ］の初期値と上記最初のＰＤＵのＳＮとの間に存在するＳＮを有するＰＤＵを紛失ＰＤＵと見なす。
【０１１８】
例えば、Ｖ［Ｄ］が５に初期化され、補助リンクを介して最初に受信されたＰＤＵのＳＮが１０であると、６，７，８，９をＳＮとするＰＤＵを紛失ＰＤＵと見なす。このような状況は、補助リンクが主リンクよりも５個のＰＤＵだけ先に送信された状況である。しかしながら、上記Ｖ［Ｄ］の初期値と上記最初のＰＤＵのＳＮとの間の差の値が１よりも大きくないと、重複検査部４３２は、紛失ＰＤＵが存在しないものと見なす。
【０１１９】
「再構成バッファの動作例」
本発明の実施形態による再構成バッファ４３４は、重複検査部４３２から伝達されたＰＤＵをＳＮの順序にて再構成し、あらかじめ決定された規則に従って上記ＰＤＵを上位階層へ伝達する。このための再構成バッファ４３４の動作を具体的に説明する。
【０１２０】
再構成バッファ４３４は、重複検査部４３２から伝達されたＰＤＵをＳＮの順に記憶する。その後、再構成バッファ４３４は、記憶された上記ＰＤＵのＳＮを検査する。
【０１２１】
上記ＳＮの検査の結果として、再構成バッファ４３４は、ＳＮの空いている部分（gap）に対応するＰＤＵを紛失ＰＤＵと見なす。再構成バッファ４３４は、上記紛失ＰＤＵのＳＮのうちのもっとも小さいＳＮをパラメータＶ［Ｆｉｒｓｔ Ｇａｐ］に記憶する。上記Ｖ［Ｆｉｒｓｔ Ｇａｐ］が決定されると、再構成バッファ４３４は、上記Ｖ［Ｆｉｒｓｔ Ｇａｐ］よりも小さいＳＮを有するＰＤＵを上位階層へ伝達する。
【０１２２】
上記対象となるＰＤＵを伝達した後、再構成バッファ４３４は、上記Ｖ［Ｆｉｒｓｔ Ｇａｐ］を新たなＳＮで更新する。上記Ｖ［Ｆｉｒｓｔ Ｇａｐ］の更新に対しては、上述した基準を同一に適用する。上記Ｖ［Ｆｉｒｓｔ Ｇａｐ］が更新されると、再構成バッファ４３４は、更新された上記Ｖ［Ｆｉｒｓｔ Ｇａｐ］よりも小さいＳＮを有するＰＤＵを上位階層へ伝達する。上記Ｖ［Ｆｉｒｓｔ Ｇａｐ］の更新は、Ｖ［Ｆｉｒｓｔ Ｇａｐ］に該当するＰＤＵを受信した場合及びＶ［Ｆｉｒｓｔ Ｇａｐ］に該当するＰＤＵが永久紛失ＰＤＵであることが通知された場合に限定される。
【０１２３】
上述したように、重複検査部４３２は、主リンク及び補助リンクから受信されたＰＤＵのうち、重複して受信されたＰＤＵのうちの１つのみを再構成バッファ４３４へ伝達し、残っているＰＤＵは廃棄する。また、重複検査部４３２は、永久紛失ＰＤＵを判断し、これを再構成バッファ４３４へ通知する。重複検査部４３２が伝達したＰＤＵの順序が合う場合に、再構成バッファ４３４は、上記ＰＤＵを上位階層へ伝達することによって、ＲＬＣ階層の動作には影響を及ぼさず、選択的結合利得を得ることができる。
【０１２４】
「選択的結合の実施形態」
図５は、本発明の実施形態による選択的結合を遂行するＵＥの選択結合器の動作を示す図である。ここで、１１，１２，１３，１４，１５，１６，１７，１８，１９，２０をＳＮとするＰＤＵが受信時点Ｔ（１）乃至Ｔ（９）の各々で、主リンクを介して順次に受信されると仮定する。１５，１６，１７，１８，１９，２０，２１，２２，２３，２４をＳＮとするＰＤＵが受信時点Ｔ（１）乃至Ｔ（９）の各々で、補助リンクを介して順次に受信されると仮定する。また、特定の時点Ｔ（０）で補助リンクが設定され、上記時点Ｔ（０）でＶ［Ｄ］が１０に初期化されると仮定する。
【０１２５】
図５を参照すると、重複検査部４３２は、時点Ｔ（１）で主リンクを介してＳＮが１１であるＰＤＵ（以下、“ＳＮ１１”と称する）を受信し、補助リンクを介してＳＮが１５であるＰＤＵ（以下、“ＳＮ１５”と称する）を受信する。その後、重複検査部４３２は、Ｖ［Ｄ］を１５に更新し、１１と１５との間に存在するＳＮである１２，１３，１４をＳ［ＮＲ］に登録する。そして、重複検査部４３２は、ＳＮ１１及びＳＮ１５を再構成バッファ４３４へ伝達する。再構成バッファ４３４は、Ｖ［Ｆｉｒｓｔ Ｇａｐ］を１２に設定し、上記Ｖ［Ｆｉｒｓｔ Ｇａｐ］よりも小さいＳＮを有するＰＤＵであるＳＮ１１をＲＬＣ階層へ伝達する。
【０１２６】
特定の時点Ｔ（２）で、重複検査部４３２は、上記主リンクを介してＳＮ１２を受信し、上記補助リンクを介してＳＮ１６を受信する。重複検査部４３２は、上記補助リンクを介して受信されたＳＮに基づいて、上記Ｖ［Ｄ］を１６に更新し、上記主リンクを介して受信されたＳＮに基づいて、上記Ｓ［ＮＲ］の元素である１２を削除する。その後、重複検査部４３２は、ＳＮ１２及びＳＮ１６を再構成バッファ４３４へ伝達する。再構成バッファ４３４は、上記Ｖ［Ｆｉｒｓｔ Ｇａｐ］を１３に更新して、ＳＮ１２を上位階層へ伝達する。
【０１２７】
特定の時点Ｔ（３）で、重複検査部４３２は、上記主リンクを介してＳＮ１３を受信し、上記補助リンクを介してＳＮ１７を受信する。重複検査部４３２は、上記補助リンクを介して受信されたＳＮに基づいて、上記Ｖ［Ｄ］を１７に更新し、上記主リンクを介して受信されたＳＮに基づいて、上記Ｓ［ＮＲ］の元素である１３を削除する。その後、重複検査部４３２は、ＳＮ１３及びＳＮ１７を再構成バッファ４３４へ伝達する。再構成バッファ４３４は、上記Ｖ［Ｆｉｒｓｔ Ｇａｐ］を１４に更新して、ＳＮ１３を上位階層へ伝達する。
【０１２８】
特定の時点Ｔ（４）で、重複検査部４３２は、上記主リンクを介してＳＮ１４を受信し、上記補助リンクを介してはＰＤＵを受信することができない。重複検査部４３２は、上記Ｖ［Ｄ］を１７に維持し、上記主リンクを介して受信されたＳＮに基づいて、上記Ｓ［ＮＲ］の元素である１４を削除する。その後、重複検査部４３２は、ＳＮ１４を再構成バッファ４３４へ伝達する。再構成バッファ４３４は、上記Ｖ［Ｆｉｒｓｔ Ｇａｐ］を１８に更新し、ＳＮ１４，ＳＮ１５，ＳＮ１６，ＳＮ１７を上位階層へ伝達する。
【０１２９】
特定の時点Ｔ（５）で、重複検査部４３２は、上記主リンクを介してＳＮ１５を受信し、上記補助リンクを介してＳＮ１９を受信する。重複検査部４３２は、上記補助リンクを介して受信されたＳＮに基づいて、上記Ｖ［Ｄ］を１９に更新し、Ｔ（４）で受信が失敗されたＳＮに基づいて、上記Ｓ［ＮＲ］に１８を登録する。上記主リンクを介して受信されたＳＮ１５のＳＮが、上記Ｖ［Ｄ］よりも小さく、更に上記Ｓ［ＮＲ］の元素ではないので、該当ＰＤＵが重複して受信されたＰＤＵと判断することができる。従って、重複検査部４３２は、ＳＮ１５を再構成バッファ４３４へ伝達せず廃棄する。ＳＮ１９は、再構成バッファ４３４へ伝達される。ＳＮ１９は、上記Ｖ［Ｆｉｒｓｔ Ｇａｐ］に該当するＳＮ１８が受信されるときまで、再構成バッファ４３４に記憶される。
【０１３０】
特定の時点Ｔ（６）で、重複検査部４３２は、上記主リンクを介してＰＤＵを受信せず、上記補助リンクを介してＳＮ２０を受信する。重複検査部４３２は、上記補助リンクを介して受信されたＳＮに基づいて、上記Ｖ［Ｄ］を２０に更新し、ＳＮ２０を再構成バッファ４３４へ伝達する。
【０１３１】
特定の時点Ｔ（７）で、重複検査部４３２は、上記主リンクを介してＳＮ１７を受信し、上記補助リンクを介してＳＮ２１を受信する。重複検査部４３２は、上記補助リンクを介して受信されたＳＮに基づいて、上記Ｖ［Ｄ］を２１に更新し、ＳＮ１７を重複して受信されたＰＤＵと見なして廃棄する。ＳＮ２１は、再構成バッファ４３４へ伝達される。重複検査部４３２は、時点Ｔ（７）で、ＳＮ１６が紛失ＰＤＵであることを確認する。しかしながら、ＳＮ１６が補助リンクを介してすでに受信されて上位階層へ伝達されるので、ＳＮ１６を上記Ｓ［ＮＲ］に登録せずに廃棄する。
【０１３２】
特定の時点Ｔ（８）で、重複検査部４３２は、上記主リンク及び上記補助リンクを介していずれのＰＤＵも受信することができない。
【０１３３】
特定の時点Ｔ（９）で、重複検査部４３２は、上記主リンクを介してＳＮ１９を受信し、上記補助リンクを介してＳＮ２３を受信する。重複検査部４３２は、上記補助リンクを介して受信されたＳＮに基づいて、Ｖ［Ｄ］を２３に更新し、上記主リンクを介して受信されたＳＮ１９は、上位階層へすでに伝達されたので廃棄する。ＳＮ２３は、再構成バッファ４３４へ伝達されて記憶される。一方、時点Ｔ（９）で、重複検査部４３２は、上記主リンクを介して受信されたＳＮに基づいて、ＳＮ１８が紛失ＰＤＵであることを確認する。ＳＮ１８が該当時点でＳ［ＮＲ］にすでに登録されているので、重複検査部４３２は、上記Ｓ[ＮＲ]から１８を除去した後、Ｓ［Ｍ］に１８を新たな元素として登録する。重複検査部４３２は、上記Ｓ［Ｍ］に新たな元素が登録されたので、ＳＮが１８であるＰＤＵが永久紛失ＰＤＵであることを再構成バッファ４３４へ通知する。その後、重複検査部４３２は、上記Ｓ［Ｍ］に登録された１８を消去する。ＳＮ１８が永久紛失ＰＤＵであるという事実の通知を受けることによって、再構成バッファ４３４は、上記Ｖ［Ｆｉｒｓｔ Ｇａｐ］を次の紛失ＰＤＵの位置である２２に更新し、２２よりも小さいＳＮを有するＰＤＵであるＳＮ１９，ＳＮ２０，ＳＮ２１を上位階層へ伝達する。
【０１３４】
「Ｂ．第２の実施形態」
本発明の第１の実施形態において、選択的結合を実行するデータを適切なサイズで構成し、上記データにＳＮを割り当てるエンティティーがセル別に存在する場合に、ＵＥの動作及びネットワークの動作について説明した。第１の実施形態において、データを適切なサイズで構成した後、上記データにＳＮを割り当てるエンティティーは、ＲＬＣ階層に関連する。以下、説明の便宜上、上記データを適切なサイズで構成した後、上記データにＳＮを割り当てるエンティティーを“一連番号割当て装置”と称する。
【０１３５】
ネットワークの観点から、選択的結合を提供する他の方案は、上記一連番号割当て装置を１つのみ構成し、選択的結合を許容するセルが上記装置を共有するようにする。本発明は、１つの一連番号割当て装置を幾つかのセルが共有する状況で、ネットワークがＳＮバージョンを管理する方法を提示する。参考までに、一連番号割当て装置がセル別に構成される場合、及び１つの一連番号割当て装置を幾つかのセルが共有する場合に対するＵＥの動作は、同一である。従って、下記のような説明は、ネットワークの動作に限定される。
【０１３６】
図６は、一連番号割当て装置が１つのみ構成されたネットワークの例を示す図である。例えば、セル＃１ ６１５−１，セル＃２ ６１５−２，セル＃３ ６１５−３，セル＃４ ６１５−４，セル＃５ ６１５−５に特定のＭＢＭＳサービスが提供されており、ＲＮＣは、上記ＭＢＭＳサービスを提供するために、１つの一連番号割当て装置６０５及びセルに関連した記憶装置６１０−１，６１０−２，６１０−３，６１０−４，６１０−５を構成する。
【０１３７】
一連番号割当て装置６０５は、第１の実施形態でのように、ＲＬＣ階層であることができる。一連番号割当て装置６０５で、ＳＮが割り当てられたデータは、各セル別に送信される。このとき、各セルに送信される前に、上記データは、記憶装置６１０−１，６１０−２，６１０−３，６１０−４，及び６１０−５に記憶される。このように、セル別に上記データを送信する前に、データを記憶するエンティティーは、ＭＡＣ階層となることができる。記憶装置６１０−１，６１０−２，６１０−３，６１０−４，６１０−５に記憶されているデータは、適切な時点でセル別に送信される。従って、１つの一連番号割当て装置６０５のみを通してＳＮが割り当てられたデータパケットであっても、セル別に送信時点が相互に異なることができる。
【０１３８】
図６に示すように、１つの一連番号割当て装置６０５が幾つかの記憶装置６１０−１，６１０−２，６１０−３，６１０−４，６１０−５へデータを提供する場合、ＳＮバージョン情報は、各セル別に構成された記憶装置６１０−１，６１０−２，６１０−３，６１０−４，６１０−５で下記のように管理される。
【０１３９】
まず、特定のセルにデータを提供する記憶装置６１０−１，６１０−２，６１０−３，６１０−４，６１０−５の各々は、ＳＮバージョンを最初に‘０’に設定する。この後、記憶装置６１０−１，６１０−２，６１０−３，６１０−４，６１０−５は、セルへ送信されたＰＤＵの個数をパラメータＮ［ＰＤＵ］に記憶する。上記Ｎ［ＰＤＵ］は、０〜１２７の間で単調に増加し、１２７の次には、０へ戻る。ＳＮが相互に異なるサイズを有する場合、Ｎ［ＰＤＵ］の値もそれに従って調整される。上記Ｎ［ＰＤＵ］が１２７から０へ戻っていく瞬間、記憶装置６１０−１，６１０−２，６１０−３，６１０−４，６１０−５は、ＳＮバージョンを１増加させる。すなわち、上記ＳＮバージョンは、Ｎ［ＰＤＵ］が最大値から０へ戻っていく瞬間、１増加される。記憶装置６１０−１，６１０−２，６１０−３，６１０−４，６１０−５は、上記ＳＮバージョンをＭＣＣＨを介して周期的に送信する。
【０１４０】
本発明で提案される選択的結合動作は、同一の一連番号割当て装置を有するセルに対してのみ成立する。しかしながら、現在の規格では、ＵＥが任意のセルがどんな一連番号割当て装置からデータの提供を受けるかを分かる方法が規定されていない。従って、本発明は、“一連番号割当て装置識別子”と呼ばれる新たなパラメーターを定義し、上記パラメーターをセル別に周期的に送信する方法を提案する。
【０１４１】
図７は、複数の一連番号割当て装置を含むネットワークの例を示すもので、一連番号割当て装置識別子をセル別に周期的に送信する。
【０１４２】
図７を参照すると、特定の一連番号割当て装置７０５−１がセル＃１ ７１５−１，セル＃２ ７１５−２，セル＃３ ７１５−３へデータを提供し、他の一連番号割当て装置７０５−２がセル＃４ ７１５−４及びセル＃５ ７１５−５へデータを提供している。ネットワークは、一連番号割当て装置７０５−１及び７０５−２に固有な識別子を割り当てる。このとき、ある一連番号割当て装置に割り当てられた識別子は、周辺の一連番号割当て装置に割り当てられた識別子とは重なってはいけない。例えば、一連番号割当て装置識別子のサイズ（長さ）は、５ビット程度となることができる。一連番号割当て装置７０５−１及び７０５−２の各々に識別子を割り当てる動作は、オペレーターがＯ＆Ｍ（Operation and Management）を使用して遂行することができる。
【０１４３】
上記ネットワークは、上記一連番号割当て装置識別子を各セルに対して周期的に送信することによって、ＵＥが選択的結合を遂行するか否かを決定するようにする。例えば、ＵＥ＃１ ７２０−１は、セル＃１ ７１５−１の一連番号割当て装置識別子がセル＃３ ７１５−３の一連番号割当て装置識別子と同一であることを認知すると、セル＃１ ７１５−１又はセル＃３ ７１５−３に補助リンクを設定して、選択的結合を試みる。一方、ＵＥ＃２ ７２０−２は、セル＃３ ７１５−３の一連番号割当て装置識別子がセル＃４ ７１５−４の一連番号割当て装置識別子とは異なることを認知すると、選択的結合を試みない。すなわち、相互に異なる一連番号割当て装置によって一連番号が割り当てられたセル間を移動しているＵＥは、本発明で提案している選択的結合を遂行しない。しかしながら、同一の一連番号割当て装置によって一連番号が割り当てられたセル間を移動しているＵＥは、本発明で提案している選択的結合を遂行する。
【０１４４】
図８は、図７に示した構成を有するネットワークにおけるＵＥの動作を示すフローチャートである。図８に示すＵＥの動作は、図３に関連して説明した第１の実施形態に従うＵＥの動作と本質的に同一である。ＵＥが選択的結合を遂行するか否かを判断するに当たって、ターゲットセルの一連番号割当て装置識別子が、サービングセルの一連番号割当て装置識別子と一致するか否かを参照するという点においてのみ異なる。図８では、ＵＥとサービングセルとの間に無線リンクが設定され、上記無線リンクを介して特定のＭＢＭＳサービスが提供されている状況を仮定している。
【０１４５】
図８を参照すると、ステップ８０１で、ＵＥは、隣接セルから信号を受信し、上記受信信号のうち、良好な信号を検出する。
【０１４６】
上記ターゲットセルが複数であると仮定すると、ＵＥは、ステップ８０３で、上記ターゲットセルからＭＣＣＨを受信し、もっとも良好な信号が受信されるターゲットセルからＭＣＣＨを選択する。上記ＭＣＣＨは、上記ターゲットセルから提供されたＭＢＭＳサービスに対する識別子と、上記ＭＢＭＳサービスの無線ベアラー情報と、選択的結合補助情報とを送信するのに使用される。ＵＥは、選択された上記ＭＣＣＨを介して受信された情報を確認した後、ステップ８０５へ進行する。ステップ８０５で、ＵＥは、上記ターゲットセルにより自身が希望するＭＢＭＳサービスが提供されているか否かを確認する。自身が希望するＭＢＭＳサービスが提供されていると、ＵＥは、ステップ８０７へ進行する。一方、自身が希望するＭＢＭＳサービスが提供されていないと、ステップ８０９へ進行する。
【０１４７】
ステップ８０７で、ＵＥは、選択された上記選択的結合補助データのうち、ＳＣ識別子に基づいて、上記ターゲットセルが選択的結合を支援するか否かを判断する。上記ＳＣ識別子によって上記ターゲットセルが選択的結合を支援すると判断されると、ＵＥは、ステップ８１１へ進行する。一方、上記ターゲットセルが選択的結合を支援しないと判断されると、ＵＥは、ステップ８０９へ進行する。
【０１４８】
ステップ８１１で、ＵＥは、サービングセルから取得した一連番号割当て装置識別子を上記ターゲットセルから取得した一連番号割当て装置識別子と比較する。上記比較の結果、上記サービングセルから取得した一連番号割当て装置識別子が上記ターゲットセルから取得した一連番号割当て装置識別子と同一であると、ＵＥは、ステップ８１３へ進行する。しかしながら、上記サービングセルから取得した一連番号割当て装置識別子が上記ターゲットセルから取得した一連番号割当て装置識別子と同一ではないと、ＵＥは、ステップ８０９へ進行する。
【０１４９】
ステップ８０９で、ＵＥは、二番目に良好な信号が受信されるターゲットセルからＭＣＣＨを選択し、選択された上記ＭＣＣＨを介して受信された情報を確認した後、ステップ８０５へ戻る。
【０１５０】
しかしながら、ステップ８１３で、ＵＥは、自身が所望するＭＢＭＳサービスを受信するために、上記ターゲットセルとの無線リンク、すなわち、補助リンクを設定する。上記補助リンクは、ＭＣＣＨを介して受信された無線ベアラー情報に基づいて設定される。上記無線ベアラー情報は、物理階層情報及びＭＡＣ階層情報を含む。上記物理階層情報は、トランスポートチャンネルに関する情報であって、物理チャンネルに対応するコード情報、物理チャンネルに適用されるチャンネルコーディングの種類、チャンネルコーディングレート、及びＴＴＩ（Transmission Time Interval）を含む。上記ＭＡＣ階層情報は、ＭＡＣ階層での多重化が適用されるか否かを示す多重化情報と、ＭＡＣ階層でのサービス識別子が使用されるか否かを示すサービス識別子情報とを含む。ＵＥは、上記物理階層情報に基づいて新たな物理階層を設定し、上記ＭＡＣ階層情報に基づいて新たなＭＡＣ階層を設定する。上述した通りに、上記補助リンクは、新たに設定された上記物理階層及びＭＡＣ階層を意味する。
【０１５１】
上述したように、補助リンクの設定が完了すると、ＵＥは、ステップ８１５で、選択的結合のための選択結合器を構成する。その後、ＵＥは、上記選択結合器を上記主リンク及び上記補助リンクに接続し、上記主リンク及び上記補助リンクを介して受信されたブロードキャストデータに対する選択的結合を遂行する。
【０１５２】
ステップ８１７で、ＵＥは、上記主リンク又は上記補助リンクの解除が要求される状況が発生するか否かを継続して監視する。上記解除が要求される状況は、あらかじめ決定されたしきい値に及ばない強度を有する信号が受信される状況に該当する。このような状況が感知されると、ＵＥは、該当セルとのリンクを解除する。
【０１５３】
例えば、上記主リンクを介して所望する程度の信号が受信されることができないと、ＵＥは、上記主リンクを解除する。しかしながら、上記補助リンクを介して所望する程度の信号が受信されることができないと、ＵＥは、上記補助リンクを解除する。ステップ８１７で、１つのリンクのみが存在すると判断されると、ＵＥは、ステップ８１９へ進行して、構成された選択結合器を解除することによって、選択的結合動作を終了する。
【０１５４】
「Ｃ．第３の実施形態」
図９は、本発明の他の実施形態によるＵＥの構成を示すブロック図である。図９では、データが複数のリンクから受信される場合、選択的結合のために、選択結合器が構成されると仮定する。ここで、“選択的結合”とは、複数のセル（又はリンク）を介してデータを受信し、これによって、データ損失の可能性を減少させる技術を意味する。従って、ＵＥが複数のセル（又はリンク）からデータを受信することは、ＵＥの動作に本質的な影響を及ぼさない。説明の便宜のために、ＵＥが２個のセルのみからデータを受信すると仮定する。
【０１５５】
図９を参照すると、選択結合器９２０は、重複検査部９１５及び再構成バッファ９１０を含む。重複検査部９１５は、複数のリンク９２５及び９３０に接続される。再構成バッファ９１０は、一連番号割当て装置９０５に接続される。
【０１５６】
「ＵＥでの選択的結合の具体的な動作」
以下、本発明の実施形態によるＵＥでの選択的結合のための重複検査部及び再構成バッファの動作について詳細に説明すると、次の通りである。
【０１５７】
「重複検査部が管理するパラメータ」
重複検査部９１５は、リンクが設定されているセル別に下記のようなパラメータを管理する。このとき、ＵＥがＮ個のセルとリンクを設定しており、各セルをｃ＿１ ９２５，．．．，ｃ＿ｎ ９３０で示す。
【０１５８】
重複検査部９１５が特定のセルｘに対して管理するパラメータには、下記のようなものがある。
【０１５９】
ＶＲ［ｃ＿ｘ］：これは、セルｘから次に受信されるものと予想されるＰＤＵのＳＮであり、セルｘからもっとも最近に受信されたＰＤＵのＳＮに１を加えた値である。
ＶＭ［ｃ＿ｘ］：これは、セルｘから受信されないＰＤＵのＳＮの集合である。
【０１６０】
一方、重複検査部９１５がすべてのセルに対して共通に管理するパラメータには、下記のようなものがある。
【０１６１】
ＶＤ：これは、重複検査部９１５が再構成バッファ９１０へ伝達したＰＤＵのＳＮの集合である。これは、重複受信の確認に使用される。
Ｈｉｇｈｅｓｔ＿ｄｅｌｉｖｅｒｅｄ＿ＳＮ：これは、重複検査部９１５が再構成バッファ９１０へ伝達したＰＤＵのＳＮのうちのもっとも高いＳＮを示す。
Ｐｅｒｍａｎｅｎｔｌｙ＿ｍｉｓｓｉｎｇ＿ＳＮ：これは、永久紛失ＰＤＵのＳＮの集合である。
【０１６２】
「再構成バッファが管理するパラメータ」
再構成バッファ９１０は、下記のパラメータを管理する。
【０１６３】
Ｆｉｒｓｔ＿ｍｉｓｓｉｎｇ＿ＳＮ：再構成バッファ９１０は、ＳＮの空部分（gap）に該当するＰＤＵを紛失ＰＤＵと見なし、紛失ＰＤＵのうち、もっとも低いＳＮを有する紛失ＰＤＵのＳＮ（又は、もっとも早い時点で発生した空部分に該当する紛失ＰＤＵのＳＮ）を上記パラメータに貯蔵する。
【０１６４】
「重複検査部の動作例」
重複検査部９１５は、各パラメータを管理し、次のような方式にて重複検査を遂行する。本実施形態において、選択結合器９２０は、主リンクが設定される時点で構成されると仮定する。すなわち、ＵＥがセル＃１からＭＢＭＳサービスを受信するために、物理階層、ＭＡＣ階層、及びＲＬＣ階層を設定する場合、選択結合器９２０も設定されると仮定する。
【０１６５】
以前の実施形態では、ＵＥが他のセルとの新たなリンクを設定することによって、ＵＥが有するリンクが２つ以上に増加する場合、選択結合器９２０を構成すると仮定する。上記２つの状況から派生する差は、Ｖ［Ｄ］またはＨｉｇｈｅｓｔ＿ｄｅｌｉｖｅｒｅｄ＿ＳＮの初期化動作にある。すなわち、リンクが１つである状況でも、選択結合器が存在する場合、以前の実施形態で説明したＶ［Ｄ］の初期化は必要でない。
【０１６６】
（１） 重複検査部９１５は、特定のセルｘからＰＤＵを受信する。 
（２） 重複検査部９１５は、受信された上記ＰＤＵのＳＮをＶＲ［ｃ＿ｘ］と比較する。
（３） 受信された上記ＰＤＵのＳＮがＶＲ［ｃ＿ｘ］よりも大きい場合、（４）へ進行し、受信された上記ＰＤＵのＳＮがＶＲ［ｃ＿ｘ］と同一である場合、（５）へ進行する。
【０１６７】
（４） 重複検査部９１５は、受信された上記ＰＤＵのＳＮとＶＲ［ｃ＿ｘ］との間の値に該当するＳＮをＶＭ［ｃ＿ｘ］に追加する。ＶＭ［ｃ＿ｘ］に含まれるＳＮには、ＶＲ［ｃ＿ｘ］も含まれる。
（５） 重複検査部９１５は、ＶＲ［ｃ＿ｘ］を受信された上記ＰＤＵのＳＮに１を加算した値で更新する。
（６） 重複検査部９１５は、受信された上記ＰＤＵのＳＮをＨｉｇｈｅｓｔ＿ｄｅｌｉｖｅｒｅｄ＿ＳＮと比較する。Ｈｉｇｈｅｓｔ＿ｄｅｌｉｖｅｒｅｄ＿ＳＮが受信された上記ＰＤＵのＳＮよりも大きい場合、（７）へ進行する。そうでなければ、重複検査部９１５は、（１１）へ進行する。 
【０１６８】
（７） 重複検査部９１５は、Ｈｉｇｈｅｓｔ＿ｄｅｌｉｖｅｒｅｄ＿ＳＮを受信された上記ＰＤＵのＳＮで更新する。
（８） 重複検査部９１５は、受信された上記ＰＤＵを再構成バッファ９１０へ伝達する。
（９） 重複検査部９１５は、伝達された上記ＰＤＵのＳＮをＶＤに追加する。
（１０） 重複検査部９１５は、上記過程を終了し、次のＰＤＵを受信するときまで待機する。
【０１６９】
（１１） 重複検査部９１５は、受信された上記ＰＤＵのＳＮがＶＤに含まれているか否かを確認する。受信された上記ＰＤＵのＳＮがＶＤに含まれている場合、重複検査部９１５は、（１２）へ進行する。しかしながら、受信された上記ＰＤＵのＳＮがＶＤに含まれていない場合、重複検査部９１５は、（１４）へ進行する。
【０１７０】
（１２） 重複検査部９１５は、受信された上記ＰＤＵを廃棄する。
（１３） 重複検査部９１５は、上記過程を終了し、次のＰＤＵを受信するときまで待機する。
（１４） 重複検査部９１５は、受信された上記ＰＤＵを再構成バッファ９１０へ伝達する。
（１５） 重複検査部９１５は、伝達された上記ＰＤＵのＳＮをＶＤに追加する。
（１６） 重複検査部９１５は、上記過程を終了し、次のＰＤＵを受信するときまで待機する。
【０１７１】
一方、重複検査部９１５がパラメータＶＭを管理し、永久紛失ＰＤＵを確認する動作は、次の通りである。
【０１７２】
（１） 重複検査部９１５は、各セル別に管理されているパラメータＶＭに貯蔵されているＳＮを監視する。
（２） 重複検査部９１５は、特定のＳＮがすべてのパラメータＶＭに貯蔵されている場合、該当ＳＮをＰｅｒｍａｎｅｎｔｌｙ＿ｍｉｓｓｉｎｇ＿ＳＮに貯蔵する。例えば、特定のＵＥがセル＃１、セル＃２、セル＃３からＰＤＵを受信している場合、ＶＭ（ｃ＿１）＝［１０，１５，１８］、ＶＭ（ｃ＿２）＝［１０，１３，１５］、ＶＭ（c＿３）＝［１０，１５］であると仮定すると、ＳＮ＝１０及びＳＮ＝１５は、Ｐｅｒｍａｎｅｎｔｌｙ＿ｍｉｓｓｉｎｇ＿ＳＮに貯蔵される。
（３） 重複検査部９１５は、Ｐｅｒｍａｎｅｎｔｌｙ＿ｍｉｓｓｉｎｇ＿ＳＮに貯蔵されているＳＮを再構成バッファ９１０に報告する。
（４） 重複検査部９１５は、再構成バッファ９１０に報告されたＳＮをＰｅｒｍａｎｅｎｔｌｙ＿ｍｉｓｓｉｎｇ＿ＳＮから削除する。
（５） 重複検査部９１５は、再構成バッファ９１０に報告されたＳＮをパラメータＶＭから除去する。
【０１７３】
「再構成バッファの動作例」
再構成バッファ９１０は、重複検査部９１５から伝達されたＰＤＵをＳＮの順に貯蔵し、上記ＳＮの増加分が１以上である部分に該当するＰＤＵを紛失ＰＤＵと見なす。再構成バッファ９１０の動作について詳細に説明すると、次の通りである。
【０１７４】
（１） 重複検査部９１５が伝達したＰＤＵは、再構成バッファ９１０に到着する。
（２） 再構成バッファ９１０は、受信された上記ＰＤＵをＳＮの順に貯蔵する。
（３） 受信された上記ＰＤＵのＳＮが、Ｆｉｒｓｔ＿ｍｉｓｓｉｎｇ＿ＳＮと同一であると、Ｆｉｒｓｔ＿ｍｉｓｓｉｎｇ＿ＳＮに該当するＰＤＵは、これ以上紛失ＰＤＵではないことを意味する。従って、再構成バッファ９１０は、残っている紛失ＰＤＵのうち、もっとも低いＳＮを有する紛失ＰＤＵのＳＮでＦｉｒｓｔ＿ｍｉｓｓｉｎｇ＿ＳＮを更新する。
（４） 更新されたＦｉｒｓｔ＿ｍｉｓｓｉｎｇ＿ＳＮよりも低いＳＮを有するＰＤＵを上位階層へ伝達する。
【０１７５】
（５） 重複検査部９１５が永久紛失ＰＤＵのＳＮを報告すると、再構成バッファ９１０は、上記ＳＮに該当する紛失ＰＤＵが受信されないものと見なす。
（６） 永久紛失ＰＤＵのＳＮのうちの１つがＦｉｒｓｔ＿ｍｉｓｓｉｎｇ＿ＳＮと一致する場合、Ｆｉｒｓｔ＿ｍｉｓｓｉｎｇ＿ＳＮに該当するＰＤＵは、これ以上紛失ＰＤＵではないことを意味する。従って、再構成バッファ９１０は、残っている紛失ＰＤＵのうちのもっとも低いＳＮを有する紛失ＰＤＵのＳＮでＦｉｒｓｔ＿ｍｉｓｓｉｎｇ＿ＳＮを更新する。
（７） 更新された上記Ｆｉｒｓｔ＿ｍｉｓｓｉｎｇ＿ＳＮよりも低いＳＮを有するＰＤＵを上位階層へ伝達する。
【０１７６】
「Ｄ．第４の実施形態」
本発明の第４の実施形態に従って、再構成バッファ及び重複検査部の機能を実現した選択結合器の動作について説明する。
【０１７７】
「ＵＥの構成」
図１０は、本発明の第４の実施形態に従って、選択的結合機能がＲＬＣエンティティーに含まれる場合のＵＥのＲＬＣ構成を示すブロック図である。
【０１７８】
図１０を参照すると、選択結合器１０３５は、下位階層１０４０を介して複数のセルからＰＤＵを受信する。そして、選択結合器１０３５は、受信された上記ＰＤＵから重複ＰＤＵを廃棄し、残っているＰＤＵを再構成する。再構成された上記ＰＤＵは、ＲＬＣ階層１０３０へ伝達される。
【０１７９】
選択結合器１０３５は、上述した動作を遂行するために、ＳＣＲ−ｗｉｎｄｏｗを管理する。一方、上記ＳＣＲ−ｗｉｎｄｏｗは、受信された上記ＰＤＵの前後関係を識別し、再構成バッファに記憶されているＰＤＵを管理するための機能を遂行する。上記再構成バッファの動作を遂行するために、上記ＳＣＲ−ｗｉｎｄｏｗは、パラメータｎｅｘｔ＿ｅｘｐｅｃｔ＿ＳＮ及びＳｃｒＷｉｎｄｏｗ＿ＵｐｐｅｒＥｄｇｅを管理する。
【０１８０】
「ＳＣＲ−ｗｉｎｄｏｗの構成及び動作例」  図１１は、上記ＳＣＲ−ｗｉｎｄｏｗの構成を示す図である。図１１を参照すると、ＳＣＲ−ｗｉｎｄｏｗ１１６５は、ＳｃｒＷｉｎｄｏｗ＿ＵｐｐｅｒＥｄｇｅ１１５０及びＳＣＲ＿ＷＩＮＤＯＷ＿ＳＩＺＥ１１５５を含む。
【０１８１】
ＳｃｒＷｉｎｄｏｗ＿ＵｐｐｅｒＥｄｇｅ１１５０は、ＵＥがこれまで受信したＰＤＵのＳＮのうち、もっとも高いＳＮである。従って、新たに受信されたＰＤＵのＳＮが既存のＳｃｒＷｉｎｄｏｗ＿ＵｐｐｅｒＥｄｇｅよりも高い場合、ＳｃｒＷｉｎｄｏｗ＿ＵｐｐｅｒＥｄｇｅは、新たなＳＮで更新される。すなわち、上記ＳｃｒＷｉｎｄｏｗ＿ＵｐｐｅｒＥｄｇｅは、新たに受信された上記ＰＤＵのＳＮで更新される。
【０１８２】
ＳＣＲ＿ＷＩＮＤＯＷ＿ＳＩＺＥ１１５５は、ＲＮＣが設定し、ＵＥへ公示するパラメーターである。ＳＣＲ＿ＷＩＮＤＯＷ＿ＳＩＺＥ１１５５は、２つの隣接セル間に発生可能な最大受信時間差を意味する。ＲＮＣが任意の２つのセル間のＳＣＲ＿ＷＩＮＤＯＷ＿ＳＩＺＥをｘに設定してＵＥへ公示した場合、ＲＮＣは、上記２つのセル間の受信時間差を設定して、ｘ個のＰＤＵを超過しないようにしなければならない。
【０１８３】
ＳＣＲ−ｗｉｎｄｏｗ１１６５は、上縁点（開始点）及び下縁点（終了点）により形成される。ＳＣＲ−ｗｉｎｄｏｗ１１６５において、ＳｃｒＷｉｎｄｏｗ＿ＵｐｐｅｒＥｄｇｅ１１５０を上縁点と定義する。一方、上記下縁点は、ＳｃｒＷｉｎｄｏｗ＿ＵｐｐｅｒＥｄｇｅ−ＳＣＲ＿ＷＩＮＤＯＷ＿ＳＩＺＥの１２８モジュール演算を遂行した結果の値によって決定される。ＳＣＲ−ｗｉｎｄｏｗ１１６５は、ＳｃｒＷｉｎｄｏｗ＿ＵｐｐｅｒＥｄｇｅ１１５０が更新される度に、同一の方向へ進行する。
【０１８４】
特定の時点で受信されたＰＤＵのＳＮがＳＣＲ−ｗｉｎｄｏｗ１１６５内に位置する場合、上記ＰＤＵのＳＮは、ＳｃｒＷｉｎｄｏｗ＿ＵｐｐｅｒＥｄｇｅ１１５０よりも小さいと見なされる。ＳＣＲ−ｗｉｎｄｏｗ１１６５の外側に位置する場合、受信された上記ＰＤＵのＳＮは、ＳｃｒＷｉｎｄｏｗ＿ＵｐｐｅｒＥｄｇｅ１１５０よりも大きいと見なされる。
【０１８５】
例えば、特定の時点で、ＳｃｒＷｉｎｄｏｗ＿ＵｐｐｅｒＥｄｇｅ１１５０が１００であり、ＳＣＲ＿ＷＩＮＤＯＷ＿ＳＩＺＥ１１５５が６４であると仮定すると、ＳＣＲ−ｗｉｎｄｏｗ１１６５において、上縁点が１００であり、下縁点が３６である。任意の時点が経過した後に、ＳＮが５０であるＰＤＵが到着した場合、ＳＮ＝５０は、ＳＣＲ−ｗｉｎｄｏｗ１１６５内に位置する。従って、ＳＮ＝５０は、１００であるＳｃｒＷｉｎｄｏｗ＿ＵｐｐｅｒＥｄｇｅ１１５０よりも小さい値となる。
【０１８６】
また、任意の時点がさらに経過した後に、ＳＮが３０であるＰＤＵが到着した場合、ＳＮ＝３０は、ＳＣＲ−ｗｉｎｄｏｗ１１６５の外側に位置する。従って、ＳＮ＝３０が、１００であるＳｃｒＷｉｎｄｏｗ＿ＵｐｐｅｒＥｄｇｅ１１５０よりも大きい。従って、ＳｃｒＷｉｎｄｏｗ＿ＵｐｐｅｒＥｄｇｅ１１５０は、３０に更新され、ＳＣＲ−ｗｉｎｄｏｗ１１６５の新たな下縁点は、−３４に対する１２８モジュール演算を遂行した９６となる。
【０１８７】
一方、任意の時点がさらに経過した後に、ＳＮが１２０であるＰＤＵが到着した場合、ＳＮ＝１２０は、ＳＣＲ−ｗｉｎｄｏｗ１１６５内に位置するので、ＳｃｒＷｉｎｄｏｗ＿ＵｐｐｅｒＥｄｇｅ１１５０よりも小さい値となる。
【０１８８】
上述したように、ＳＣＲ−ｗｉｎｄｏｗ１１６５は、ＳｃｒＷｉｎｄｏｗ＿ＵｐｐｅｒＥｄｇｅ１１５０の更新とともに移動し、受信されたＰＤＵのＳＮがＳｃｒＷｉｎｄｏｗ＿ＵｐｐｅｒＥｄｇｅ１１５０より大きいか、又は、小さいかを判断するのに使用される。また、ＳＣＲ−ｗｉｎｄｏｗ１１６５内のＳＮを有するＰＤＵのみが再構成バッファに記憶されることができる。例えば、ＳＣＲ−ｗｉｎｄｏｗ１１６５において、下縁点が０であり、上縁点が６４であると、０と６４との間のＳＮを有するＰＤＵのみが上記再構成バッファに記憶されている。ＳＣＲ−ｗｉｎｄｏｗ１１６５の移動に従って、再構成バッファに記憶されているＰＤＵのＳＮが変更される。 
【０１８９】
一方、選択結合器で使用された他のパラメータであるｎｅｘｔ＿ｅｘｐｅｃｔ＿ＳＮは、紛失ＰＤＵのうち、一番目の紛失ＰＤＵのＳＮが貯蔵されるパラメータである。すなわち、上記パラメータは、第１の実施形態で使用されたＶ［Ｆｉｒｓｔ＿Ｇａｐ］と同一のパラメータである。ＳｃｒＷｉｎｄｏｗ＿ＵｐｐｅｒＥｄｇｅ１１５０の初期値は、選択結合器が最初に受信したＰＤＵのＳＮより１小さい値である。また、ｎｅｘｔ＿ｅｘｐｅｃｔ＿ＳＮの初期値は、選択結合器が最初に受信したＰＤＵのＳＮである。
【０１９０】
「選択結合器の動作例」
図１２は、本発明の第４の実施形態による選択結合器の動作を示すフローチャートである。
【０１９１】
図１２に示す選択結合器の動作は、Ｗｉｎｄｏｗ（又はＳＣＲ−ｗｉｎｄｏｗ）を構成するか、又は変更する過程と、上記Ｗｉｎｄｏｗにより受信されたブロードキャストデータ（又はＰＤＵ）を再構成バッファに記憶するか、又は、上位階層へ伝達する過程と、紛失ブロードキャストデータのＳＮ（又はｎｅｘｔ＿ｅｘｐｅｃｔ＿ＳＮ）を更新した後、再構成バッファに貯蔵されたブロードキャストデータを上位階層へ伝達する過程とを含む。
【０１９２】
図１２を参照すると、選択結合器は、ステップ１２０５で、特定のＰＤＵを受信する。上記選択結合器は、ステップ１２０７で、受信された上記ＰＤＵのＳＮがＳＣＲ−ｗｉｎｄｏｗ内に位置するか否かを確認する。上記ＳＮが上記ＳＣＲ−ｗｉｎｄｏｗ内に位置すると、上記選択結合器は、ステップ１２２５へ進行する。一方、上記ＳＮが上記ＳＣＲ−ｗｉｎｄｏｗ内に位置しないと、上記選択結合器は、ステップ１２１０へ進行する。上記ＳＮが上記ＳＣＲ−ｗｉｎｄｏｗ内に位置しないことは、上記ＳＮがＳｃｒＷｉｎｄｏｗ＿ＵｐｐｅｒＥｄｇｅよりも大きいことを意味する。
【０１９３】
ステップ１２１０で、上記選択結合器は、受信された上記ＰＤＵを再構成バッファに記憶する。その後、上記選択結合器は、ステップ１２１２で、上記ＳｃｒＷｉｎｄｏｗ＿ＵｐｐｅｒＥｄｇｅを上記ＳＮで更新する。ステップ１２１５で、上記選択結合器は、更新された上記ＳｃｒＷｉｎｄｏｗ＿ＵｐｐｅｒＥｄｇｅに基いてＳＣＲ−ｗｉｎｄｏｗを新たに設定する。すなわち、上記選択結合器は、上記ＳＣＲ−ｗｉｎｄｏｗの下縁点を上記ＳｃｒＷｉｎｄｏｗ＿ＵｐｐｅｒＥｄｇｅが移動した長さだけ移動して、上記ＳＣＲ−ｗｉｎｄｏｗを更新する。例えば、ステップ１２０７で、ＳｃｒＷｉｎｄｏｗ＿ＵｐｐｅｒＥｄｇｅが１０であり、ＳＮが１５であると判断されると、上記ＳｃｒＷｉｎｄｏｗ＿ＵｐｐｅｒＥｄｇｅは、５だけ移動し１５になる。そして、ステップ１２１５で、上記ＳＣＲ−ｗｉｎｄｏｗの下縁点も５だけ移動する。すなわち、上記ＳＣＲ−ｗｉｎｄｏｗの上縁点は、５だけ移動する。
【０１９４】
上記選択結合器は、ステップ１２１７で、上記再構成バッファに記憶されているＰＤＵのうち、ＳＮが新たなＳＣＲ−ｗｉｎｄｏｗの外側に位置するＰＤＵを上位階層へ伝達する。例えば、ＳＮが７５であるＰＤＵが上記再構成バッファに記憶されていると仮定する。このとき、ＳＮ＝７５は、ＳＣＲ−ｗｉｎｄｏｗが移動する前（７４〜１０）には、ウィンドー内に位置している。しかしながら、ＳＮ＝７５は、ＳＣＲ−ｗｉｎｄｏｗが移動した後（７９〜１５）には、ウィンドーの外側に位置している。従って、上記ＳＮが７５に該当するＰＤＵは、上位階層へ伝達される。ここで、上記ＳＮが７５であるＰＤＵが上記再構成バッファに記憶されているということは、上記選択結合器が以前に受信することができなかったＰＤＵが存在することを意味する。また、ＳＮ＝７５がＳＣＲ−ｗｉｎｄｏｗの外側に位置するということは、上記選択結合器が以前に受信することができなかったＰＤＵを受信する可能性がないことを意味する。従って、上記ＳＮが７５であるＰＤＵは、順序の再構成が完了しなかったにもかかわらず、上位階層へ伝達される。
【０１９５】
上記選択結合器は、ステップ１２２０で、ｎｅｘｔ＿ｅｘｐｅｃｔ＿ＳＮがＳＣＲ−ｗｉｎｄｏｗの外側に位置するか否かを確認する。上記ｎｅｘｔ＿ｅｘｐｅｃｔ＿ＳＮが上記ＳＣＲ−ｗｉｎｄｏｗの外側に位置すると、上記選択結合器は、ステップ１２６０へ進行する。一方、上記ｎｅｘｔ＿ｅｘｐｅｃｔ＿ＳＮが上記ＳＣＲ−ｗｉｎｄｏｗ内に位置すると、上記選択結合器は、ステップ１２９５へ進行して、次のＰＤＵが到着するときまで待機する。
【０１９６】
上記ｎｅｘｔ＿ｅｘｐｅｃｔ＿ＳＮが上記ＳＣＲ−ｗｉｎｄｏｗの外側に位置するということは、上記選択結合器が上記ｎｅｘｔ＿ｅｘｐｅｃｔ＿ＳＮに該当する紛失ＰＤＵを受信する可能性がないことを意味する。従って、上記選択結合器は、新たなｎｅｘｔ＿ｅｘｐｅｃｔ＿ＳＮを設定し、上記再構成バッファに記憶されているＰＤＵのうち、新たなｎｅｘｔ＿ｅｘｐｅｃｔ＿ＳＮよりも小さいＳＮを有するＰＤＵを上位階層へ伝達しなければならない。ステップ１２６０及びステップ１２６５は、上述した動作のためのステップである。
【０１９７】
ステップ１２６０で、上記選択結合器は、ｎｅｘｔ＿ｅｘｐｅｃｔ＿ＳＮを上記再構成バッファ内の最初の紛失ＰＤＵのＳＮで更新する。例えば、ＳＮが１００，１２０，１０である紛失ＰＤＵが上記再構成バッファに記憶されていると、上記選択結合器は、新たなｎｅｘｔ＿ｅｘｐｅｃｔ＿ＳＮを１００に更新する。
【０１９８】
その後、ステップ１２６５で、上記選択結合器は、上記ｎｅｘｔ＿ｅｘｐｅｃｔ＿ＳＮよりも小さいＳＮを有するＰＤＵを上記上位階層へ伝達する。これらＰＤＵは、成功的に再構成されたＰＤＵである。上記伝達が完了すると、上記選択結合器は、ステップ１２９５へ進行して、すべての過程を終了し、新たなＰＤＵが到着するときまで待機する。
【０１９９】
しかしながら、ステップ１２０７で、受信された上記ＰＤＵのＳＮがＳＣＲ−ｗｉｎｄｏｗ内に位置すると判断される場合、上記選択結合器は、ステップ１２２５へ進行する。
【０２００】
ステップ１２２５で、上記選択結合器は、上記ＰＤＵが以前に受信されていたか否かを判断する。これは、上記ＰＤＵのＳＮが上記再構成バッファにすでに記憶されているか否かを確認することによって可能である。すなわち、上記ＳＮを有するＰＤＵが上記再構成バッファにすでに記憶されていると、上記選択結合器は、上記ＰＤＵが重複して受信されたことを意味するので、ステップ１２４０へ進行する。ステップ１２４０で、上記選択結合器は、重複して受信された上記ＰＤＵを廃棄する。その後、ステップ１２９５へ進行して、すべての過程を終了し、次のＰＤＵが到着するときまで待機する。
【０２０１】
しかしながら、上記ＳＮを有するＰＤＵが上記再構成バッファに記憶されていない場合、上記ＰＤＵが重複して受信されないことを意味する。従って、上記選択結合器は、ステップ１２３０へ進行して、上記ＰＤＵを上記再構成バッファに記憶する。
【０２０２】
ステップ１２３５で、上記選択結合器は、受信された上記ＰＤＵのＳＮがｎｅｘｔ＿ｅｘｐｅｃｔ＿ＳＮと同一であるか否かを検査する。相互に同一ではない場合、上記選択結合器は、ステップ１２９５へ進行して、すべての過程を終了した後、次のＰＤＵが到着するときまで待機する。
【０２０３】
しかしながら、受信された上記ＰＤＵのＳＮがｎｅｘｔ＿ｅｘｐｅｃｔ＿ＳＮと同一であると、上記選択結合器は、ステップ１２４５へ進行する。ステップ１２４５で、上記選択結合器は、上記ｎｅｘｔ＿ｅｘｐｅｃｔ＿ＳＮを上記再構成バッファ内の最初の紛失ＰＤＵのＳＮで更新する。
【０２０４】
ステップ１２５０で、上記選択結合器は、上記ｎｅｘｔ＿ｅｘｐｅｃｔ＿ＳＮよりも小さいＳＮを有するＰＤＵを上位階層へ伝達する。これらＰＤＵは、成功的に再構成されたＰＤＵである。
【０２０５】
ステップ１２５０を完了した後、上記選択結合器は、ステップ１２９５へ進行して、すべての過程を終了した後、次のＰＤＵが到着するときまで待機する。
【０２０６】
以上、本発明の詳細について具体的な実施形態に基づき説明してきたが、本発明の範囲を逸脱しない限り、各種の変形が可能なのは明らかである。従って、本発明の範囲は、上記実施形態に限定されるものではなく、特許請求の範囲の記載及び該記載と同等なものにより定められるべきである。
【図面の簡単な説明】
【０２０７】
【図１】本発明の実施形態を適用するためのＵＭＴＳ移動通信システムにおけるＵＴＲＡＮの構成を示す図である。
【図２】本発明の第１の実施形態による選択的結合補助データを提供するための手順を示すシグナリング図である。
【図３】本発明の第１の実施形態によるＵＥで選択的結合を遂行する手順を示すフローチャートである。
【図４】本発明の第１の実施形態によるＵＥの構成を示すブロック図である。
【図５】図４に示した選択結合器の動作を示す図である。
【図６】本発明の第２の実施形態を適用するための一連番号割当て装置が１つのみ構成されたネットワークの例を示す図である。
【図７】本発明の第２の実施形態を適用するための一連番号割当て装置が複数で構成されたネットワークの例を示す図である。
【図８】図７に示した構成を有するネットワークにおけるＵＥの動作を示すフローチャートである。
【図９】本発明の第３の実施形態によるＵＥを示すブロック図である。
【図１０】本発明の第４の実施形態によるＵＥのＲＬＣエンティティーを示すブロック図である。
【図１１】図１０に示したＳＣＲ−ウィンドーの構成を示す図である。
【図１２】本発明の第４の実施形態による選択結合器の動作を示すフローチャートである。
【符号の説明】
【０２０８】
１１０    ＲＮＣ
１１２    隣接セル（サービングセル）
１１４    隣接セル（新たなセル）
１１６    ＵＥ
４１０    主リンク
４１２    物理階層
４１４    ＭＡＣ階層
４２０    補助リンク
４２２    新たな物理階層
４２４    新たなＭＡＣ階層
４３０    選択結合器
４３２    重複検査部（Duplication Checker）
４３４    再構成バッファ（Reordering Buffer）
４４０    ＲＬＣ階層
６０５    一連番号割当て装置
６１５−１    セル＃１
６１５−２    セル＃２
６１５−３    セル＃３
６１５−４    セル＃４
６１５−５    セル＃５
６１０−１，６１０−２，６１０−３，６１０−４，６１０−５    記憶装置
７０５−１    一連番号割当て装置
７０５−２    一連番号割当て装置
７１５−１    セル＃１
７１５−２    セル＃２
７１５−３    セル＃３
７１５−４    セル＃４
７１５−５    セル＃５
７２０−１    ＵＥ＃１
７２０−２    ＵＥ＃２
９０５    一連番号割当て装置
９１０    再構成バッファ
９１５    重複検査部
９２０    選択結合器
９２５〜９３０    リンク（セルｃ＿１〜セルｃ＿ｎ）
１０３０    ＲＬＣ階層
１０３５    選択結合器
１０４０    下位階層
１１５０    ＳｃｒＷｉｎｄｏｗ＿ＵｐｐｅｒＥｄｇｅ
１１５５    ＳＣＲ＿ＷＩＮＤＯＷ＿ＳＩＺＥ
１１６５    ＳＣＲ−ｗｉｎｄｏｗ
【図１】
2007520114.tif 000004
【図２】
2007520114.tif 000005
【図３】
2007520114.tif 000006
【図４】
2007520114.tif 000007
【図５】
2007520114.tif 000008
【図６】
2007520114.tif 000009
【図７】
2007520114.tif 000010
【図８】
2007520114.tif 000011
【図９】
2007520114.tif 000012
【図１０】
2007520114.tif 000013
【図１１】
2007520114.tif 000014
【図１２】
2007520114.tif 000015
【国際調査報告】
2007520114.tif 000016
2007520114.tif 000017